(57)【特許請求の範囲】
【請求項１】
無線通信ネットワーク（１００）に含まれた第１のネットワークノード（１０１）がサービスを提供するセル（１１０）の第１のエリア識別子（Ａ１）を前記セル（１１０）に対する第２のエリア識別子（Ａ２）で置換するための、前記第１のネットワークノード（１０１）における方法であって、
前記第１のエリア識別子（Ａ１）を前記セル内のユーザ装置（１０２）に送信する工程（２００）と、
前記無線通信ネットワーク（１００）に含まれる第２のネットワークノード（１０４、１０５、１０６）から前記第２のエリア識別子（Ａ２）を受信する工程（２１０、２１３）と、
エリア識別子置換期間中、前記第１および第２のエリア識別子（Ａ１、Ａ２）を前記ユーザ装置（１０２）に繰り返し送信する工程（２３０）と
前記エリア識別子置換期間が経過した時、前記第２のエリア識別子（Ａ２）を前記ユーザ装置（１０２）に送信し（２６０）、前記第１のエリア識別子（Ａ１）の送信を中止し、それによって前記第１のエリア識別子を前記第２のエリア識別子で置換する工程と
を有することを特徴とする方法。
【請求項２】
前記第１および第２のエリア識別子（Ａ１、Ａ２）を送信する工程の前に、前記エリア識別子置換期間を受信する工程をさらに有することを特徴とする請求項１に記載の方法。
【請求項３】
前記第１および第２のエリア識別子（Ａ１、Ａ２）を送信する工程は、前記エリア識別子置換期間を前記ユーザ装置（１０２）に送信する工程をさらに有することを特徴とする請求項１又は２に記載の方法。
【請求項４】
メッセージを前記第２のネットワークノード（１０５、１０６）に送信する工程（２８０）をさらに有し、
前記メッセージはただ１つのエリア識別子が前記ユーザ装置（１０２）に送信されるというものであり、前記ただ１つのエリア識別子は前記第２のエリア識別子（Ａ２）であることを特徴とする請求項１乃至３のいずれか一項に記載の方法。
【請求項５】
前記第２のネットワークノード（１０５、１０６）は、モビリティ管理エンティティまたは運用及びサポートシステムであることを特徴とする請求項１乃至４のいずれか一項に記載の方法。
【請求項６】
無線通信ネットワーク（１００）に含まれた第１のネットワークノード（１０１）がサービスを提供するセル（１１０）の第１のエリア識別子（Ａ１）を前記セル（１１０）に対する第２のエリア識別子（Ａ２）で置換するための、前記第１のネットワークノード（１０１）における装置であって、
前記第１のエリア識別子（Ａ１）を前記セル内のユーザ装置（１０２）に送信するように構成された送信部（４２０）と、
前記無線通信ネットワーク（１００）に含まれる第２のネットワークノード（１０４、１０５、１０６）から前記第２のエリア識別子を受信するように構成された受信部（４１０）とを備え、
前記送信部はさらに、エリア識別子置換期間中、前記第１および第２のエリア識別子（Ａ１、Ａ２）を前記ユーザ装置（１０２）に繰り返し送信するように構成され、前記エリア識別子置換期間が経過した時、前記第２のエリア識別子（Ａ２）を前記ユーザ装置（１０２）に送信するように構成され、且つ前記第１のエリア識別子（Ａ１）の送信を中止するように構成され、それによって前記第１のエリア識別子（Ａ１）を前記第２のエリア識別子（Ａ２）で置換するように構成されることを特徴とする装置。
【請求項７】
第１のネットワークノード（１０１）がサービスを提供するセル（１１０）の第１のエリア識別子（Ａ１）を前記セルに対する第２のエリア識別子（Ａ２）で置換することに対応するための、ユーザ装置（１０２）における方法であって、前記第１のネットワークノード（１０１）は、エリア識別子置換期間に前記ユーザ装置（１０２）に対して第１及び第２のエリア識別子（Ａ１，Ａ２）を送信し、前記置換は前記エリア識別子置換期間が経過した時に完了し、前記ユーザ装置（１０２）はエリア識別子を格納するように構成され、前記第１のネットワークノード（１０１）および前記ユーザ装置は無線通信ネットワーク（１００）に含まれ、前記ユーザ装置は前記セル（１１０）内に位置しており、前記方法は、
前記エリア識別子置換期間を前記第１のネットワークノード（１０１）から受信する工程と、
前記第１のネットワークノードから前記第２のエリア識別子（Ａ２）を受信する工程と、
前記エリア識別子置換期間内のある時点で位置報告を第２のネットワークノード（１０５、１０６）に送信する工程と、
前記位置報告および前記第２のエリア識別子（Ａ２）に基づいた、前記ユーザ装置（１０２）に格納すべきエリア識別子リストを、前記第２のネットワークノード（１０５、１０６）から受信する工程とを有し、
前記第１のネットワークノード（１０１）は、前記第２のネットワークノード（１０５、１０６）からサービスを提供され、前記第２のエリア識別子（Ａ２）は、前記位置報告とともに前記第２のネットワークノード（１０５、１０６）に送信されることを特徴とする方法。
【請求項８】
前記ある時点は、前記第２のエリア識別子（Ａ２）を受信する工程から可変的な時点であることを特徴とする請求項７に記載の方法。
【請求項９】
前記ある時点は、前記ユーザ装置（１０２）が前記セル（１１０）に入った後であることを特徴とする請求項７に記載の方法。
【請求項１０】
前記ある時点は、前記エリア識別子置換期間内のランダムな位置にあることを特徴とする請求項７乃至９のいずれか一項に記載の方法。
【請求項１１】
前記第２のエリア識別子（Ａ２）は前記ユーザ装置（１０２）に格納されたエリア識別子のどれとも異なることを特徴とする請求項７乃至１０のいずれか一項に記載の方法。
【請求項１２】
前記第１および第２のエリア識別子（Ａ１、Ａ２）のいずれか１つが前記ユーザ装置（１０２）に格納されたエリア識別子のどれとも異なる場合、前記送信する工程がさらに行われることを特徴とする請求項７乃至１１のいずれか一項に記載の方法。
【請求項１３】
第１のネットワークノード（１０１）がサービスを提供するセル（１１０）の第１のエリア識別子（Ａ１）を前記セル（１１０）に対する第２のエリア識別子（Ａ２）で置換することに対応するためのユーザ装置（１０２）における装置であって、前記第１のネットワークノード（１０１）は、エリア識別子置換期間に前記ユーザ装置（１０２）に対して第１及び第２のエリア識別子（Ａ１，Ａ２）を送信し、前記置換はエリア識別子置換期間が経過した時に完了し、前記ユーザ装置（１０２）はエリア識別子を格納するように構成され、前記第１のネットワークノード（１０１）および前記ユーザ装置（１０２）は無線通信ネットワークに含まれ、前記ユーザ装置は前記セル（１１０）内に位置しており、前記装置は、
前記第１のネットワークノード（１０１）から前記エリア識別子置換期間と前記第２のエリア識別子（Ａ２）とを受信するように構成された受信部と、
前記エリア識別子置換期間内の時点で位置報告を第２のネットワークノード（１０５、１０６）に送信するように構成された送信部とを備え、
前記第１のネットワークノード（１０１）は前記第２のネットワークノード（１０５、１０６）からサービスを提供され、前記第２のエリア識別子（Ａ２）は前記位置報告とともに前記第２のネットワークノード（１０５、１０６）に送信され、前記受信部はさらに、前記ユーザ装置（１０２）に格納すべきエリア識別子リストを前記第２のネットワークノード（１０５、１０６）から受信するように構成されることを特徴とする装置。
【請求項１４】
エリア識別子置換期間中にユーザ装置（１０２）を呼び出すための第２のネットワークノード（１０５、１０６）における方法であって、第１のネットワークノード（１０１）は、前記エリア識別子置換期間に前記ユーザ装置（１０２）に対して第１及び第２のエリア識別子（Ａ１，Ａ２）を送信し、前記第１のエリア識別子（Ａ１）の前記第２のエリア識別子（Ａ２）による置換は前記エリア識別子置換期間が経過した時に完了し、前記第１および第２のエリア識別子（Ａ１、Ａ２）は前記エリア識別子置換期間中第１のネットワークノード（１０１）のセル（１１０）に関連付けられており、前記第１のネットワークノード（１０１）は前記第２のネットワークノード（１０５、１０６）からサービスを提供され、前記第１および第２のネットワークノードは無線通信ネットワーク（１００）に含まれており、前記方法は、
前記第１のネットワークノード（１０１）が前記置換の準備をするよう、前記第１の無線ネットワークノード（１０１）に前記第２のエリア識別子（Ａ２）を送信する工程と、
前記ユーザ装置から位置報告を受信する受信工程と、
前記第２のネットワークノード（１０５、１０６）に前記第２のエリア識別子（Ａ２）を含む、前記位置報告および前記第２のエリア識別子（Ａ２）に基づくエリア識別子リストを格納する工程と、
前記エリア識別子置換期間の開始前に前記受信工程が行われる場合、且つ前記第１および第２のエリア識別子（Ａ１、Ａ２）のいずれか１つが前記エリア識別子リストの中に含まれている場合、前記エリア識別子置換期間中に前記セル（１１０）内の前記ユーザ装置を呼び出す工程と
を有し、
前記第２のエリア識別子は前記位置報告とともに受信され、前記エリア識別子は前記ユーザ装置（１０２）と関連付けられることを特徴とする方法。
【請求項１５】
前記エリア識別子置換期間中に前記ユーザ装置を呼び出す工程は、前記第１のエリア識別子（Ａ１）が前記エリア識別子リストの中に含まれている場合だけ行われることを特徴とする請求項１４に記載の方法。
【請求項１６】
エリア識別子置換期間中にユーザ装置を呼び出すための第２のネットワークノード（１０５、１０６）における装置であって、第１のネットワークノード（１０１）は、前記エリア識別子置換期間に前記ユーザ装置（１０２）に対して第１及び第２のエリア識別子（Ａ１，Ａ２）を送信し、前記第１のエリア識別子（Ａ１）の前記第２のエリア識別子（Ａ２）での置換は前記エリア識別子置換期間が経過した時に完了可能であり、前記第１および第２のエリア識別子（Ａ１、Ａ２）は前記エリア識別子置換期間中前記第１のネットワークノード（１０１）のセル（１１０）に関連付け可能であり、前記第１のネットワークノード（１０１）は前記第２のネットワークノード（１０５、１０６）からサービス提供可能であり、前記第１および第２のネットワークノードは無線通信ネットワーク（１００）に含まれており、前記装置は、
前記第１の無線ネットワークノード（１０１）に前記第２のエリア識別子（Ａ２）を送信するように構成された送信部と、
前記ユーザ装置から位置報告を受信するように構成された受信部（８１０）と、
前記第２のネットワークノード（１０５、１０６）に前記第２のエリア識別子（Ａ２）を含む、前記位置報告および前記第２のエリア識別子（Ａ２）に基づくエリア識別子リストを格納するように構成された格納部（８３０）と、
前記エリア識別子置換期間の開始前に前記位置報告が受信された場合、且つ前記第１および第２のエリア識別子（Ａ１、Ａ２）のいずれか１つが前記エリア識別子リストの中に含まれている場合、前記エリア識別子置換期間中前記セル（１１０）内の前記ユーザ装置（１０２）を呼び出すように構成されたページング部（８２０）と
を備え、
前記第２のエリア識別子は前記位置報告とともに受信可能であり、前記エリア識別子は前記ユーザ装置（１０２）に関連付けられることを特徴とする装置。
【請求項１７】
前記ページング部（８２０）はさらに、前記第１のエリア識別子（Ａ１）が前記エリア識別子リストの中に含まれている場合だけ、前記エリア識別子置換期間中にユーザ装置（１０２）を呼び出すように構成されることを特徴とする請求項１６に記載の装置。
【発明の詳細な説明】
【技術分野】
【０００１】
本発明は、無線通信ネットワークにおける方法および装置に関し、より詳細には、第１のネットワークノードがサービスを提供するセルの第１のエリア識別子をそのセルに対する第２のエリア識別子で置換するための、第１のネットワークノードにおける方法および装置と、第１のネットワークノードがサービスを提供するセルの第１のエリア識別子のそのセルに対する第２のエリア識別子による置換に、エリア識別子置換期間の間、対応するための、ユーザ装置における方法および装置とに関する。さらに、本発明は、エリア識別子置換期間中にユーザ装置を呼び出す(paging)するための第２のネットワークノードにおける方法および装置に関する。
【背景技術】
【０００２】
例えば無線通信ネットワークなどのセルラネットワークは、セルラネットワーク内に置かれているかまたはセルラネットワーク内を移動中で、ネットワークと通信が進行中ではない移動端末を追跡する能力を通常有する。移動端末の追跡（トラッキング）は、セルラネットワークの複数のセルを一般に登録エリアと呼ばれる特別のエリアに配置することにより達成され、そして移動端末は、その登録エリアを割り当てられる。登録エリアは複数のセルから成る。セルラネットワークのセルは特定のエリアであり、そのエリアへの信号を送信し、またそのエリアからの信号を受信する送受信部がサービスを提供する特定のエリアである。この場合、移動端末は、そのより正確な位置（すなわち、移動端末が登録エリアの複数のセルの中のどのセル内に位置するか）をネットワークに報告することなく、登録エリア内（すなわち、複数のセルがサービスを提供するエリア内）を移動してもよい。移動端末は、割り当てられた登録エリアを離れるとき、その新しい位置をネットワークに報告して、新しい登録エリアを割り当てられる。移動端末は、その新しい登録エリアの中をネットワークに報告することなく移動できる。移動端末は、割り当てられた登録エリアを離れていない場合でさえ、その位置をネットワークに定期的に報告することも求められている。これは、定期登録(periodic registration)と呼ばれることもある。このようにして、移動端末は、移動端末が依然として連絡可能であり、ネットワークとの連絡が途絶えていないことをネットワークに知らせる。この結果として、移動端末を呼び出すとき、セルラネットワークは、移動端末に割り当てた登録エリア内で移動端末を呼び出す必要があるだけである。
【０００３】
登録エリアを計画または構成するとき、登録エリアのサイズすなわち幾つのセルが１つの登録エリアを構成するか、および登録エリアの位置すなわちどのセルが１つの登録エリアを構成するかを、考慮しなければならない。言い換えると、ネットワークの登録エリア構成は、ネットワークのどのセルがどの登録エリアに属するかを決める。登録エリアが大きいと、移動端末からネットワークへの報告は少なくなるが、ネットワークが移動端末に連絡するとき、多くのセルで呼び出すことが必要になる。同様に、登録エリアが小さいと、呼び出しは効率的になる（中で呼び出しの必要なセルが少ない）が、割り当てられていない登録エリアに移動端末が入るときの移動端末からの報告が多くなる。どのセルを含めるべきかの検討は、例えば主要道路またはショッピングセンタなどに起因する移動端末の移動パターンによって決められる。その結果、呼び出すときのセル数を最小限にすることに向けた最適化と、位置報告に起因するネットワーク負荷を最小限にすることに向けた最適化との間にトレードオフがある。
【０００４】
ネットワークの登録エリア構成を最適化（またはほぼ最適化）するアルゴリズムを設計することができる。このアルゴリズムは、通常、移動パターンおよび移動端末が終点となるトラヒックの推定値または測定値に基づく。
【０００５】
さらに、無線ネットワークは本来動的で発展するものなので、セルラネットワークの登録エリア構成を一回限りで決定することはできない。それどころか、ネットワークが拡大するにつれて、ならびにユーザ／移動端末のトラヒックおよび移動行動が変化するにつれて、登録エリア構成は、呼び出しの最適化と位置報告の最適化の良好な（または最適に近い）トレードオフを提供するために、再計画および更新されなければならない。登録エリア構成のそのような更新または再計画は、登録エリア再構成（または登録エリアの再構成）と呼ばれる。
【０００６】
あるセルが属する登録エリアを変更するとき、そのセル内でブロードキャストされているシステム情報を更新する必要がある。システム情報は、登録エリアについての情報を含む。
【０００７】
第１の選択肢として、セルは、システム情報の更新中はサービスの提供を中止する。不都合なことに、これは、更新されるセル内、すなわちこのセルが現在関連づけられている登録エリアとは異なる登録エリアに割り当てられているセル内に、サービスの中断を引き起こす。そのために、更新をたびたび行うことは望ましくない。さらに、ネットワーク全体の更新は、同様にネットワーク全体のサービスの中断を必要とするであろう。このような手順は容認できないであろう。そうしないで、登録エリア再構成はどれも、ネットワークの全面的なサービス中断を避けるために、段階的に実施する必要があろう。
【０００８】
第２の選択肢として、セルのサービスを中止することなしにシステム情報を更新する。このアプローチの欠点は、更新されているセル内の移動端末がネットワークに行う報告の大きなピークを引き起こすであろうことである。多くのセルが同時に更新される場合、ネットワークは恐らく過負荷になって、実際にはサービス中断を引き起こすであろう。
【０００９】
第３世代パートナーシッププロジェクト（３ＧＰＰ）のＥＰＳ（Ｅｖｏｌｖｅｄ  Ｐａｃｋｅｔ  Ｓｙｓｔｅｍ、ＳＡＥ／ＬＴＥ（Ｓｙｓｔｅｍ  Ａｒｃｈｉｔｅｃｔｕｒｅ  Ｅｖｏｌｕｔｉｏｎ／Ｌｏｎｇ  Ｔｅｒｍ  Ｅｖｏｌｕｔｉｏｎ）としても知られる）に関しては、効果的な登録エリアは、いわゆるトラッキングエリア（ＴＡ）リストから成る。トラッキングエリアは、（半固定的に）構成されたネットワーク特性である。トラッキングエリアリストは、ネットワークにおける位置報告に起因する負荷をいくぶん均等にするために、個別に構成されて各移動端末に割り当てられてもよい。場合によっては、ネットワーク内の各移動端末に対するトラッキングエリアリストは、特定のユーザまたは移動端末のそれぞれの移動パターンおよびトラヒック行動に適するように、移動端末またはそのユーザに個別に適合されてもよい。モビリティ管理エンティティ（またはＭＭＥ、Mobility Management Entity）で代表されるネットワークは、移動端末がネットワークに接続されている（より詳しく言うと、３ＧＰＰのＬＴＥ用語によるとＲＲＣ＿ＣＯＮＮＥＣＴＥＤモードの）ときはいつでも、どの移動端末にも新しいトラッキングエリアリストを割り当て得るが、通常トラッキングエリアリストの割り当てはトラッキングエリア更新手順中に行われる。トラッキングエリアリストが移動端末に通常割り当てられるもう１つの手順は、移動端末がネットワークに初期登録する時（例えば、移動端末の電源が入れられる時）、すなわちアタッチ手順中である。
【００１０】
さらに、各ＬＴＥセルは、１つのトラッキングエリアＩＤ（ＴＡＩ）に関連しているシングルトラッキングエリア（ＴＡ）の１つに属する。トラッキングエリアＩＤは、公衆陸上移動通信網ＩＤ（例えば、移動国番号（ＭＣＣ）＋移動ネットワーク番号（ＭＮＣ））およびトラッキングエリアコード（ＴＡＣ）を備える。また、トラッキングエリアＩＤは、セル内にブロードキャストされるシステム情報に含まれる。ＬＴＥ  Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ノードＢ（またはＥ−ＵＴＲＡＮ  ＮｏｄｅＢまたはｅＮｏｄｅＢまたはｅＮＢ）は、１つ以上のモビリティ管理エンティティ（ＭＭＥ）プールに属する。ここで、各ＭＭＥプールは少なくとも１つのＭＭＥから成る。ネットワークにおいてトラッキングエリアをどのように計画してもよいかについての制約によると、トラッキングエリアは、異なるＭＭＥプールに属するセルを備えることを許可されない、すなわち１つのトラッキングエリアのすべてのセルは、同じＭＭＥプールに接続されているｅＮＢに属さなければならない。
【発明の概要】
【発明が解決しようとする課題】
【００１１】
本発明の１つの目的は、無線通信ネットワークにおいてトラッキングエリアＩＤや登録エリアＩＤなどのエリア情報の更新を扱う改良した方法および装置を提供し、それによって、そのような置換または更新中におけるサービス中断およびネットワーク負荷を撲滅または減少することである。
【課題を解決するための手段】
【００１２】
この目的および他の目的は、添付の独立請求項に記載された方法および装置によって果たされる。具体的な実施形態は従属請求項に規定されている。
【００１３】
本発明の一態様は、第１のネットワークノードがサービスを提供するセルの第１のエリア識別子をそのセルに対する第２のエリア識別子で置換するための、第１のネットワークノードにおける方法を提供する。ここで、第１のネットワークノードは無線通信ネットワークに含まれる。第１のネットワークノードは、第１のエリア識別子をセル内のユーザ装置に送信する。さらに、第１のネットワークノードは、無線通信ネットワークに含まれる第２のネットワークノードから第２のエリア識別子を受信する。さらなるステップでは、第１のネットワークノードは、エリア識別子置換期間中、第１および第２のエリア識別子をユーザ装置に繰り返し送信する。次いでエリア識別子置換期間が経過した時、第１のネットワークノードは、第２のエリア識別子をユーザ装置に送信し、第１のエリア識別子の送信を中止する。このようにして、第１のエリア識別子が第２のエリア識別子で置換される。
【００１４】
３ＧＰＰのＬＴＥ用語を使用すると、第１のネットワークノードは、無線基地局またはｅＮｏｄｅＢでもよく、第２のネットワークノードは、ＯＳＳ（運用及びサポートシステム）またはＭＭＥでもよい。
【００１５】
「ユーザ装置（ｕｓｅｒ  ｅｑｕｉｐｍｅｎｔ）」または短縮したＵＥという用語は、無線送信／受信部、移動機、固定もしくは移動加入者部、移動端末、ポケットベル（ページャ）、セルラ電話機、携帯情報端末（ＰＤＡ）、コンピュータ、または無線セルラ通信ネットワークにおいて動作できる任意の他のタイプのユーザデバイスを含むがこれらに限定されないことに注意されたい。
【００１６】
さらに、「エリア識別子」という表現は、トラッキングエリア識別子および登録エリア識別子を含むが、これらに限定されないことに注意してもよい。また、「エリア情報」という表現は、エリア識別子、トラッキングエリアおよび登録エリア、または類似のものを示すために使用される。
【００１７】
本発明の別の態様では、第１のネットワークノードがサービスを提供するセルの第１のエリア識別子をそのセルに対する第２のエリア識別子で置換するための、第１のネットワークノードにおける装置を提供する。ここで、第１のネットワークノードは無線通信ネットワークに含まれる。さらに、この装置は、第１のエリア識別子をセル内のユーザ装置に送信するように構成された送信部と、無線通信ネットワークに含まれる第２のネットワークノードから第２のエリア識別子を受信するように構成された受信部とを備える。送信部はさらに、エリア識別子置換期間中、第１および第２のエリア識別子をユーザ装置に繰り返し送信するように構成され、エリア識別子置換期間が経過した時、第２のエリア識別子をユーザ装置に送信するように構成され、且つ第１のエリア識別子の送信を中止するように構成される。それによって、第１のエリア識別子は、第２のエリア識別子で置換される。
【００１８】
エリア識別子置換期間は、変更元のエリア識別子と変更先のエリア識別子の２つの異なるエリア識別子が、更新されているセル内で同時に通用可能にするために導入されている。その結果として、影響を受けるセル内のユーザ装置からの位置報告の送信は、時間的に分散し得る。複数のエリア識別子が同時に有効である（または通用する）ことで十分である。以下の説明から明らかになるように、複数のエリア識別子が必ずしも同時にセル内で送信またはブロードキャストされる必要はない。
【００１９】
有利なことに、エリア識別子を置換する（またはエリア情報を構成する）ための第１のネットワークノードにおける方法および装置は、サービスの中断を必要とせずに、また報告によりネットワークに大きな負荷もかけずに、その置換を可能にするために提供される。ここで言うネットワークは、第２のネットワークノードで代表されてもよい。
【００２０】
本発明のまた別の態様は、第１のネットワークノードがサービスを提供するセルの第１のエリア識別子をそのセルに対する第２のエリア識別子で置換するのにエリア識別子置換期間中対応するための、ユーザ装置における方法を提供する。置換は、エリア識別子置換期間が経過した時に完了する。ユーザ装置は、エリア識別子を格納するように構成される。第１のネットワークノードおよびユーザ装置は、無線通信ネットワークに含まれる。さらに、ユーザ装置はそのセル内に位置している。ユーザ装置は、第１のネットワークノードから第２のエリア識別子を受信する。別のステップでは、ユーザ装置は、エリア識別子置換期間内の時点で位置報告を第２のネットワークノードに送信する。ここで、第１のネットワークノードは、第２のネットワークノードからサービスを提供されている。第２のエリア識別子は、位置報告とともに第２のネットワークノードに送信される。また別のステップでは、ユーザ装置は、位置報告および第２のエリア識別子に基づいたエリア識別子リストを第２のネットワークノードから受信し、それを格納する。
【００２１】
一般に、ユーザ装置から第２のネットワークノードへ位置報告などの情報を送信するのは、第１のネットワークノード経由で情報を送信することによって行われることに注意してもよい。
【００２２】
本発明のまた別の態様は、第１のネットワークノードがサービスを提供するセルの第１のエリア識別子を第２のエリア識別子で置換することに対応するための、ユーザ装置における装置を提供する。置換は、エリア識別子置換期間が経過したときに完了し、ユーザ装置は、エリア識別子を格納するように構成され、第１のネットワークノードおよびユーザ装置は無線通信ネットワークに含まれ、ユーザ装置はそのセル内に位置している。さらに、この装置は、第１のネットワークノードから第２のエリア識別子を受信するように構成された受信部と、エリア識別子置換期間内の時点で位置報告を第２のネットワークノードに送信するように構成された送信部とを備える。ここで、第１のネットワークノードは第２のネットワークノードからサービスを提供され、第２のエリア識別子は位置報告とともに第２のネットワークノードに送信される。受信部はさらに、第２のネットワークノードから格納すべきエリア識別子リストを受信するように構成される。このように、ユーザ装置は、複数のエリア識別子の同時運用を扱うように構成される。
【００２３】
２つのエリア識別子が同時に通用するエリア識別子置換期間の結果として、１つ以上のどのセルでユーザ装置を呼び出したらよいかもはや明らかでない。それ故、更新されるセル内のユーザ装置を呼び出すための方法(strategy)が必要である。
【００２４】
従って、本発明のさらなる態様は、エリア識別子置換期間中にユーザ装置を呼び出すための、第２のネットワークノードにおける方法を提供する。第１のエリア識別子の第２のエリア識別子での置換は、エリア識別子置換期間内に完了する。ここで、第１および第２のエリア識別子は、エリア識別子置換期間中は、第１のネットワークノードのセルと関連付けられ、第１のネットワークノードは第２のネットワークノードからサービスを提供され、第１および第２のネットワークノードは、無線通信ネットワークに含まれる。第２のネットワークノードは、ユーザ装置から位置報告を受信し、この位置報告とともに第２のエリア識別子も受信する。さらなるステップでは、第２のネットワークノードは、第２のエリア識別子を含むエリア識別子を格納する。第２のネットワークノードにおいて、エリア識別子はユーザ装置と関連付けられる。さらに、エリア識別子置換期間の開始前に受信工程が起こった場合、且つ第１および第２のエリア識別子のいずれか１つがエリア識別子リストの中に用意されている場合、第２のネットワークノードは、エリア識別子置換期間中にセル内のユーザ装置を呼び出す。
【００２５】
本発明のまた別の態様は、エリア識別子置換期間中にユーザ装置を呼び出すための、第２のネットワークノードの装置を提供する。第１のエリア識別子の第２のエリア識別子での置換は、エリア識別子置換期間が経過した時に完了可能である。ここで、第１および第２のエリア識別子は、エリア識別子置換期間中第１のネットワークノードのセルと関連付け可能であり、第１のネットワークノードは第２のネットワークノードからサービス提供可能であり、第１および第２のネットワークノードは、無線通信ネットワークに含まれる。さらに、装置は、ユーザ装置から位置報告を受信するように構成された受信部と、第２のエリア識別子を含むエリア識別子を格納するように構成された格納部と、エリア識別子置換期間の開始前に位置報告を受信した場合、且つ第１および第２のエリア識別子のいずれか１つがエリア識別子のリストに用意されている場合、エリア識別子置換期間中セル内のユーザ装置を呼び出すように構成されたページング部とを備える。ここで、第２のエリア識別子は、位置報告とともに受信可能であり、第２のネットワークノードの中で、エリア識別子はユーザ装置と関連付けられる。有利なことに、第２のネットワークノードにおける方法および装置は、エリア識別子置換期間中における効率的な呼び出し方法を提供する。
【００２６】
提案の方法および装置のさらなる利点は、サービスの中断および報告による過負荷を回避するので、エリア識別子（またはエリア情報）をより頻繁に置換（または更新）することが許容されることである。また、第２のネットワークにおける方法および装置のおかげで、効果の少ない呼び出しが回避されることである。異なる言い回しをすると、構成の更新を考慮する気にさせ得る閾値が下げられる。その結果として、自動エリア情報計画および最適化スキームを、上述の欠点をもたらすことなしに無線通信ネットワークに適用し得る。自動エリア情報計画および最適化スキームの利点は、エリア情報構成をネットワークの変化する状態に適合し得るので、その結果として、無線通信ネットワークの発展に対して最適なエリア構成をより密接に追いかけ得ることである。例えば、最適な構成は、ネットワークの拡大（例えば、無線基地局がより密に配備される）、ネットワークの利用者数の増加、または無線通信システムにおけるユーザ装置の行動の変化の結果として時間とともに変わり得る。
【００２７】
さらに別の利点は、ネットワーク全体の完全な更新が可能であろうことである、すなわち、再構成の必要があるすべてのセルに影響を及ぼす更新が許容される。このようにして、最適化されたエリア情報構成が直ぐ達成されるか、またはエリア情報構成が直ぐ実際上できる範囲で最適になる。また、ＴＡ構成アルゴリズムがネットワーク全体に対する最適なＴＡ構成を計算すると、新しいＴＡ構成は、（同期ＴＡ構成更新（下記参照）を使用して）ネットワーク全体で同時に実施されてもよい。
【００２８】
本発明のさらなる特徴および利点は、添付の特許請求の範囲および以下の説明を検討することで明らかになるであろう。本発明の様々な特徴が、本発明の範囲から逸脱することなしに、以下に述べる実施形態以外の実施形態を考案するために組み合わせ得ることを、当業者は認識する。
【００２９】
個々の特徴および利点を含む本発明の様々な態様は、以下の詳細説明および添付図面から容易に理解されるであろう。
【図面の簡単な説明】
【００３０】
【図１】無線通信ネットワークの概観図である。
【図２】図１の無線通信ネットワークにおける方法の実施形態のシグナリング図である。
【図３】第１のネットワークノードにおける方法の実施形態のフロー図である。
【図４】図３のステップを実行するように構成された、第１のネットワークノードにおける装置の一実施形態のブロック図である。
【図５】ユーザ装置における方法の実施形態のフロー図である。
【図６】図５のステップを実行するように構成された、ユーザ装置における装置の一実施形態のブロック図である。
【図７】第２のネットワークノードにおける方法の実施形態のフロー図である。
【図８】図７のステップを実行するように構成された、第２のネットワークノードにおける装置の一実施形態のブロック図である。
【図９】図１の無線通信ネットワークにおいてエリア情報を更新するための、無線通信ネットワークにおける方法のいくつかの実施形態のシグナリングおよびフロー合成図である。
【図１０】エリア情報を更新するための、第１のネットワークノードにおける方法のさらなる実施形態のフロー図である。
【図１１】エリア情報を更新するための、図１の無線通信ネットワークにおける方法のいくつかの実施形態のシグナリング図である。
【図１２】図１１に従ってエリア情報を更新するための、第１のネットワークノードにおける方法のフロー図である。
【図１３】エリア情報を更新するための、無線通信ネットワークにおける方法のいくつかの実施形態による、図１の無線通信ネットワークのシグナリングおよびフロー合成図である。
【図１４】図１３に従ってエリア情報を更新するための、第１のネットワークノードにおける方法のフロー図である。
【発明を実施するための形態】
【００３１】
「エリア識別子更新」「エリア識別子置換」「エリア構成手順」「エリア構成更新」「エリア情報更新」「ＴＡＣ更新」などの用語は、同義的に使用されており、同じ手順、方法またはメカニズムを述べると理解されることに注意されたい。「トラッキングエリア識別子」「登録エリア」「エリア情報」および「エリア識別子」という用語は、同じものを表すために使用されていることにも注意されたい。さらに、「古いトラッキングエリア識別子」という表現は、「第１のエリア識別子」を指し、同様に「新しいトラッキングエリア識別子」という表現は、「第２のエリア識別子」を指す。
【００３２】
以下で言及するとき、用語「ネットワークノード」は、基地局、Ｅ−ＵＴＲＡＮ  Ｎｏｄｅ−Ｂ（ｅＮｏｄｅＢ）、サイトコントローラ、アクセスポイント（ＡＰ）、モビリティ管理エンティティ（ＭＭＥ）もしくは運用及びサポートシステム（ＯＳＳ）、または無線通信ネットワークで動作できる他の任意のタイプのインタフェースデバイスを含むがこれらに限定されない。
【００３３】
以下の説明を通して、適用できるときは同様の参照数字が、同様のステップ、部分、項目または構成要素を表すために使用されている。
【００３４】
図１では、無線セルラ通信ネットワーク１００が示されており、このネットワーク１００は、運用及びサポートシステム（ＯＳＳ）１０５、モビリティ管理エンティティ（ＭＭＥ）１０６、基地局１０１および移動端末１０２を備える。基地局１０１とＭＭＥ１０６との間のインタフェースは、Ｓ１インタフェース１２４である。基地局またはｅＮＢ１０１は、破線矢印１２０、１２１、１２２で示されるように、３つのセル１１０、１１１、１１２にサービスを提供する。セル１１１およびセル１１２は、それぞれトラッキングエリアＡ１およびＡ２に関連する。基地局は、矢印１２３で示されるように、古いトラッキングエリアＡ１を新しいトラッキングエリアＡ２で置換するように、第３のセル１１０内でブロードキャストされたシステム情報を更新する。
【００３５】
基地局（第１のネットワークノードとも呼ぶ）は、更新要求に様々なやり方で応答できる。図２および図９を参照して、それぞれ基地局動作形態１および基地局動作形態２（あるいは解決形態１および解決形態２）と呼ぶ２つの例について説明する。
【００３６】
ＯＳＳ１０５は、新しいＴＡ構成に変更することが有益であると判定した後に、ＴＡ構成を変更し始めてもよい。ＯＳＳ１０５は、影響を受けるｅＮＢ１０１のそれぞれに、新しいトラッキングエリアコード（ＴＡＣ）、古いＴＡＣの有効期間、および場合によってはＴＡＣ更新手順の開始時間を通知して準備をさせてもよく、また影響を受けるＭＭＥ１０６のそれぞれに基本的にｅＮＢ１０１と同じ情報を通知して準備をさせてもよい。代替または追加で、ＯＳＳ１０５は、影響を受ける各ＭＭＥ１０６だけに準備をさせてもよく、次に影響を受ける各ＭＭＥ１０６がＳ１インタフェースを通じて影響を受ける各ｅＮＢ１０１に準備をさせる。またはその逆でもよい、すなわちＯＳＳ１０５は、影響を受ける各ｅＮＢ１０１に準備をさせ、次に影響を受ける各ｅＮＢ１０１が、Ｓ１インタフェースを通じて影響を受ける各ＭＭＥ１０６に通知する。Ｓ１インタフェースは、ｅＮＢ１０１とＭＭＥ１０６との間のインタフェースである。
【００３７】
影響を受けるｅＮＢ１０１の隣接ｅＮＢ（図１には示されていない）が、ＵＥの禁止ＴＡリストの中に含まれる新しいＴＡＣを有するセル１１０、１１１、１１２へのＵＥ１０２のハンドオーバを防止できるように、ＯＳＳ１０５は、影響を受けるｅＮＢ１０１の隣接ｅＮＢにも通知してもよい。隣接ｅＮｏｄｅＢは、影響を受けるｅＮＢに属する少なくとも１つのセルに隣接する少なくとも１つのセルを有する。禁止ＴＡリストが存在する場合、禁止ＴＡリストは、ＵＥ１０２の登録を許可しない（すなわち、ネットワークはそのＴＡ内ではＵＥにサービスを提供しない）１つ以上のＴＡを明らかにする。影響を受けるｅＮＢに関する情報のその隣接ｅＮＢへの送信は、影響を受けるｅＮＢが、隣接ｅＮＢ間のインタフェースまたはその代わりにＳ１インタフェースを通じて処理してもよい。
【００３８】
新たなＴＡＣが導入されるかまたは古いＴＡＣが削除される場合、あるいはＴＡＣがあるＭＭＥプールから別のＭＭＥプールに移動される場合、ＯＳＳ１０５は、いくつかのＭＭＥプール間のインタフェースを通じた送信メッセージのルーティング（他のＭＭＥプールの探索）の点から見て、新しい状況を考慮しなければならない。これは、いくつかの事例では例えば隣接関係自動構成（ＡＮＲ）およびＭＭＥプール間ハンドオーバと併せて、ＴＡＩ／ＴＡＣに基づいてもよい。従って、ＴＡＩ／ＴＡＣのＭＭＥプールへのマッピングが正しくなるように、（それぞれのＴＡＩ／ＴＡＣを所有するＭＭＥプールを探索するために使用される）ＴＡＩ／ＴＡＣに基づくルーティングデータの発生はどれも、更新されたＴＡ構成に合わせて更新されなければならない。
【００３９】
ＴＡＣを管理するとき、ＯＳＳは、ＴＡＣをあるＭＭＥプールから他のＭＭＥプールへ移動することにより起こり得る結果を検討すべきである。これは、いくつかのＵＥのＴＡリストを複数のＭＭＥプールにまたがらせるかもしれない。これは、ＴＡリスト割り当ての一般原則に反し、これらのＵＥの１つを呼び出すとき複数のＭＭＥ（すなわち、在圏(serving)ＭＭＥだけでない）が関与しなければならないので、呼び出し手順を著しく複雑にする。それ故、ＴＡ構成を更新するとき、新しいＭＭＥプールにおいて既存のＴＡＣを再使用するのは好ましくない、すなわち、要するにＴＡＣを新しいＭＭＥプールに移動するのは好ましくない。
【００４０】
ＴＡ構成の更新中にＴＡＣが削除される場合、ＯＳＳは、進行中または遅れているＡＮＲ（隣接関係自動構成）手順およびＭＭＥプール間ハンドオーバ手順またはそのいずれかを完了させるために、削除されるＴＡＣに基づくルーティングデータを一定の時間維持するように、関与するネットワークノードに指示してもよい。
【００４１】
図２を参照すると、図１に示される無線通信ネットワーク１００においてトラッキングエリアを更新または再構成するときの、解決形態１によるステップを表すシグナリング図が示されている。図２の例では、以下のステップ２００〜２８１が行われてもよい。オプションのステップは図の中では破線矢印で示されている。矢印と「ノード」の縦線との交差個所の黒点は、メッセージ（または手順）がそのノードによって中継（または転送）されることを示す。
【００４２】
ステップ２００：基地局１０１が、セル１１０内にブロードキャストシステム情報の中で古いＴＡＣをブロードキャストまたは送信する。
【００４３】
ステップ２１０：いくつかの実施形態によれば、ＯＳＳは、トラッキングエリアの更新の準備をさせる指示を基地局に送信する。
【００４４】
ステップ２１１：いくつかの実施形態によれば、ＯＳＳは、トラッキングエリアの更新の準備をさせる指示をＭＭＥに送信する。
ステップ２１２：ステップ２１０は実行されたがステップ２１１は実行されなかった場合、基地局は、トラッキングエリアの更新の準備をさせる指示をＭＭＥに送信してもよい。
ステップ２１３：ステップ２１１は実行されたがステップ２１０は実行されなかった場合、ＭＭＥは、トラッキングエリアの更新の準備をさせる指示をステップ２１３において基地局に送信してもよい。
ステップ２１４：いくつかの実施形態では、影響を受ける隣接基地局にＴＡＣ更新についての情報を送信するオプションのステップ２１４が実行されてもよい。
ステップ２１５：ステップ２１４の代替として、ステップ２１５で、ＯＳＳが、影響を受ける隣接基地局にＴＡＣ更新についての情報を送信してもよい。
ステップ２３０：一実施形態では、新旧のＴＡＣと必要に応じて古いＴＡＣの有効期間とがブロードキャストシステム情報の一部としてＵＥに送信される、すなわち２つのＴＡＣがユーザ装置に並行してブロードキャストされる。これは、パラレルＴＡＣブロードキャストと呼ばれてもよい。
ステップ２５０：ＵＥは、基地局経由でＭＭＥに遅延型ＴＡ更新を送信する（またはその位置を報告する）。ＵＥの動作について、以降でさらに詳しく述べる。
ステップ２６０：基地局は、ＴＡＣが更新されたセル内のＵＥにシステム情報の中で新しいＴＡＣを送信する（すなわち、今は古いＴＡＣはシステム情報から削除されている）。
ステップ２６１：オプションで、基地局１０１は、セル１１０内で新しいＴＡＣだけをブロードキャストしている（そして、もはや古いＴＡＣをブロードキャストしていない）ことを通知するコミットメッセージをＭＭＥに送信する。
ステップ２６２：オプションで、基地局１０１は、セル１１０内で新しいＴＡＣだけをブロードキャストしている（そして、もはや古いＴＡＣをブロードキャストしていない）ことを通知するコミットメッセージを、影響を受ける隣接基地局に送信する。
ステップ２８０：ステップ２８０では、基地局１０１は、更新が首尾よく行われたか否かをＯＳＳに通知する報告をＯＳＳに送信する。この報告は、望ましくは、少なくともステップ２１０が実行された場合には送信され、できればステップ２１０が実行されなかった場合であっても送信される。
ステップ２８１：ステップ２８１では、ＭＭＥ１０６がＯＳＳに報告を送信する。その報告は、ステップ２８０の報告と同様の働きをする。この報告は、望ましくは、少なくともステップ２１１が実行された場合には送信され、できればステップ２１１が実行されなかった場合であっても送信される。
【００４５】
図３は、第１のネットワークノード１０１がサービスを提供するセル１１０の第１のエリア識別子Ａ１をそのセル１１０の第２のエリア識別子Ａ２で置換するための、第１のネットワークノード１０１において行われる方法を表す例示のフロー図を示す。第１のエリア識別子の第２のエリア識別子での置換は、エリア識別子置換期間が経過した時に完了する。第１のネットワークノード１０１は、無線通信ネットワーク１００に含まれる。以下のステップが実行される。オプションのステップについては、その旨を説明し、破線のボックスで示す。
ステップ２００：図３には示されていないが、第１のネットワークノード１０１または基地局は、第１のエリア識別子Ａ１をセル１１０内のユーザ装置１０２に送信する。ある基地局がサービスを提供するセルから別の基地局がサービスを提供するセルへＵＥが移動する場合のように、第１のエリア識別子Ａ１をＵＥに送信する別の基地局もあってもよい。
ステップ２１０または２１３：第１のネットワークノード１０１は、無線通信ネットワーク１００に含まれる第２のネットワークノード１０４、１０５、１０６から第２のエリア識別子Ａ２を受信する。ステップ２１０と２１３の両方ではなく、どちらかが行われるのが好ましい。
【００４６】
第１のネットワークノードにおける方法の実施形態では、第１のネットワークノードは、エリア識別子置換期間（例えば、開始時刻および終了時刻あるいは開始時刻およびエリア識別子置換期間の長さ）をさらに受信する。詳しくは、エリア識別子置換期間は、トラッキングエリアコード更新準備コマンドの一部として、ステップ２１０または２１３で第１のノードに送信されてもよい。その結果として、エリア識別子置換期間は動的に変更されてもよい。例えば、更新されるセルすなわちエリア識別子が置換されるセルに移動端末が多くある場合、識別子置換期間が長い方が多分適しているであろう。
ステップ２１４：ｅＮＢまたは第１のネットワークノードは、エリア識別子の置換についての情報を、影響を受ける隣接ｅＮＢに送信してもよい。
ステップ２１５：ＯＳＳが、エリア識別子の置換についての情報を、影響を受ける隣接ｅＮＢに送信してもよい。ステップ２１４と２１５の両方ではなく、どちらかが行われるのが好ましい。
ステップ２３０：第１のネットワークノードは、エリア識別子置換期間中、第１および第２のエリア識別子すなわち新旧のエリア識別子Ａ１、Ａ２の両方をユーザ装置１０２に繰り返し送信する。
【００４７】
第１のネットワークノードにおける方法のいくつかの実施形態では、第１のネットワークノードは、ステップ２３０中に、さらにエリア識別子置換期間をユーザ装置１０２に送信する。このようにして、第１のネットワークノードは、第１のエリア識別子の有効期間がいつ終了するかについて、更新されるセル内のすべての移動端末に通知する。どの移動端末も、第１のエリア識別子の有効期間が終了する前に、ネットワークにトラッキングエリア更新（ＴＡＵ）報告を行わなければならない。
ステップ２５０：第１のネットワークノードは、ＵＥからのＴＡＵ要求を第２のネットワークノード、具体的に言うとＭＭＥに転送する。第１のネットワークノードは、ＴＡＵ要求の転送に使用するメッセージ（すなわち、第２のネットワークノードに転送するとき、ＵＥからのＴＡＵ要求メッセージを含めるメッセージ）の中に、必要に応じて第２のエリア識別子を含めてもよい。
ステップ２６０：エリア識別子置換期間が経過した時、第１のネットワークノードは、第２のエリア識別子Ａ２をユーザ装置１０２に送信するが、第１のエリア識別子Ａ１は送信しない。その結果として、第２のエリア識別子Ａ２は、セル１１０に関連付けられる唯一のエリア識別子になる。
ステップ２６１および２６２：上記参照。
ステップ２８０：このステップはオプションである。第２のネットワークノードがＯＳＳの場合、第１のネットワークノードは、第２のエリア識別子だけをユーザ装置に送信しているというメッセージを、第２のネットワークノードに送信する。このようにして、ネットワークは、第１のネットワークノードの現状、すなわち第１のネットワークノードのセルが更新されているか否かについての情報を常に得ている。
【００４８】
パラレルＴＡＣブロードキャストの進行中に、ｅＮＢは、禁止ＴＡリストの中に新しいＴＡＣを含むアクティブＵＥについて、許可された隣接セルへのハンドオーバを試みてもよい。ｅＮＢは、新しいＴＡＣが禁止されているアクティブＵＥに、古いＴＡＣの有効期間が終了するまでセル内に留まることを許可してもよいが、その後その接続は、（首尾よく許可された隣接セルにハンドオーバされない限り）中断される。
【００４９】
基地局動作形態１によるＴＡ構成の変更を可能にするためには、ブロードキャストされたシステム情報の許可された（指定された）コンテンツを変更する必要があることに注意してもよい。システム情報は、セル内のシステム情報の中で２つのＴＡＣをブロードキャストすることを可能にするように構成される。２つのＴＡＣは、新旧のＴＡＣすなわちそれぞれ変更前のＴＡＣと変更後のＴＡＣである。また、有効期間は、少なくとも古いＴＡＣに関連付けられて、ブロードキャストシステム情報に含まれてもよい。無限の有効期間すなわち有効期間が全くないことは、新しいＴＡＣに関連付けられてもよい。有効期間は、絶対時間、古いＴＡＣの終了までに残された時間、終了までに残されたＳＵ（システム情報スケジューリング部）の送信数、またはブロードキャストチャネル（ＢＣＨ）に示されるシステムフレーム番号（ＳＦＮ）として表されてもよい。
【００５０】
図４は、第１のネットワークノード１０１がサービスを提供するセル１１０の第１のエリア識別子Ａ１を第２のエリア識別子Ａ２で置換するための、第１のネットワークノード１０１の装置４００のブロック図を示す。第１のネットワークノード１０１は、無線通信ネットワーク１００に含まれる。装置は、第１のエリア識別子Ａ１をセル内のユーザ装置１０２に送信するように構成された送信部４２０と、無線通信ネットワーク１００に含まれる第２のネットワークノード１０４、１０５、１０６から第２のエリア識別子を受信するように構成された受信部４１０とを備える。送信部はさらに、エリア識別子置換期間中に第１および第２のエリア識別子Ａ１、Ａ２をユーザ装置１０２に繰り返し送信するように構成され、エリア識別子置換期間が経過した時、第２のエリア識別子Ａ２をユーザ装置１０２に送信するように構成され、且つ第１のエリア識別子Ａ１の送信を中止するように構成され、それによって第１のエリア識別子Ａ１を第２のエリア識別子Ａ２で置換するように構成されている。
【００５１】
さらに、第１のネットワークノードの装置４００のいくつかの実施形態によれば、装置は、装置４００が送受信するデータを処理するように構成された処理部４３０を備えてもよい。例えば、処理部４３０は、装置が正しい時点に第２のエリア識別子をＵＥに送信し得るように、エリア識別子置換期間の経過を管理してもよい。
【００５２】
第１のネットワークノードの装置のいくつかの実施形態では、受信部４１０は、エリア識別子置換期間（例えば、開始時刻および終了時刻、あるいは開始時刻およびエリア識別子置換期間の長さ）を受信するようにさらに構成される。エリア識別子置換期間は、第１および第２のエリア識別子Ａ１、Ａ２を送信する前に受信することが好ましい。
【００５３】
第１のネットワークノードの装置のいくつかの実施形態では、送信部４２０は、例えば有効期間の形態などのエリア識別子置換期間をユーザ装置１０２に送信するようにさらに構成される。
【００５４】
第１のネットワークノードの装置のいくつかの実施形態では、送信部４２０は、メッセージを第２のネットワークノードに送信するようにさらに構成される。ここで、そのメッセージは、第２のエリア識別子だけをユーザ装置に送信しているというものである。第２のネットワークノードはＭＭＥでもＯＳＳでもよい。一方において第２のネットワークノードがＭＭＥである場合、メッセージは、エリア識別子が首尾よく置換されたことを示すコミットメッセージである。他方において第２のネットワークノードがＯＳＳである場合、メッセージは、エリア識別子置換が実行されたことを示す報告メッセージである。
【００５５】
ここで図５を参照すると、第１のネットワークノード１０１がサービスを提供するセル１１０の第１のエリア識別子をそのセルに対する第２のエリア識別子で置換することにエリア識別子置換期間中対応する、ユーザ装置１０２における方法の一実施形態を示すフロー図が示されている。置換は、エリア識別子置換期間が経過した時に完了する。さらに、ユーザ装置１０２は、エリア識別子を格納するように構成される。第１のネットワークノード１０１およびユーザ装置は、無線通信ネットワーク１００に含まれる。ユーザ装置はセル１１０内に位置する。以下のステップが行われる。オプションのステップについては、そのように述べ、破線のボックスで示す。
ステップ２００：このステップはオプションである。ユーザ装置が、第１のエリア識別子すなわち古いＴＡＣを受信する。
ステップ２３０：ユーザ装置は、第１のネットワークノードから、多分第１のエリア識別子に加えて、第２のエリア識別子を受信する。
ステップ２５０：ユーザ装置は、エリア識別子置換期間内の時点で位置報告を第２のネットワークノード１０５に送信する。さらに、第１のネットワークノード１０１は、第２のネットワークノード１０５からサービスを提供されており、位置報告とともに第２のエリア識別子が第２のネットワークノード１０５に送信される。第１のネットワークノードが位置報告を第２のネットワークノードに転送するとき、位置報告に第２のエリア識別子Ａ２を加えるのが好ましいこともあるし、また第１のネットワークノードが第２のエリア識別子Ａ２を第２のネットワークノードに送信するのが好ましいこともある。第２のネットワークノードはＭＭＥである。
ステップ２６０：ユーザ装置は、第２のネットワークノード１０５から位置報告および第２のエリア識別子に基づいたエリア識別子リストを受信し、ユーザ装置１０２に格納する。好ましくは、エリア識別子リストは、第２のエリア識別子すなわち新しいＴＡＣを含む。
【００５６】
第２のエリア識別子がエリア識別子リストの中のいずれか１つのエリア識別子と同じである場合、エリア情報更新（ＴＡＵ）すなわちネットワークへの移動端末位置の報告を行う必要はない。第２のエリア識別子がエリア識別子リストの中のいずれか１つのエリア識別子と同じである場合、移動端末は、ネットワークに報告することなしにそのセル内にいることが許可される。言い換えると、ステップ２５０の位置報告の送信は、第２のエリア識別子Ａ２がユーザ装置１０２に格納されたどのエリア識別子とも異なる場合だけ行われる。
【００５７】
ユーザ装置における方法の実施形態では、第１のエリア識別子Ａ１は、第１のネットワークノード１０１から受信され、その時点（ステップ２５０でユーザ装置がその位置をＭＭＥに報告する時点）は、第２のエリア識別子Ａ２の受信から可変の時点である。このようにして、更新の開始時にセル内に位置していた移動端末は、ネットワークへの報告を時間的に分散させるであろう。その結果として、ネットワークの負荷は、そのような時間的分散がない場合より少なくなるであろう。
【００５８】
ユーザ装置における方法のいくつかの実施形態では、第１のエリア識別子Ａ１は、ネットワークノード１０１とは異なるネットワークノードから受信され、その時点（ステップ２５０で述べられた時点）は、セル１１０のエリア情報の更新が始まった後に、ユーザ装置１０２がセル１１０に入る時点である。更新されているセルに入る移動端末は、ネットワークに報告する前にある時間待つ必要がない。移動端末が入る時点はほぼ確実に時間的に分散しているからである。ある時間待たないで、移動端末は、セルに入った直後に、上述のように位置報告を送信してもよい。
【００５９】
ユーザ装置における方法のいくつかの実施形態では、その時点は、エリア識別子置換期間内のランダムの位置にあるのが多分好ましいだろう。それによって、移動端末からの報告は、時間的にランダムに散らばって、ネットワーク負荷を減少し、古い識別子の有効期間終了前にＴＡＵが確実に行われる。
【００６０】
ユーザ装置における方法のいくつかの実施形態では、ユーザ装置は、エリア識別子が更新されている（すなわち、エリア識別子置換期間が始まっているが終わっていない）セル１１０に入った後に、第１および第２のエリア識別子Ａ１、Ａ２のいずれか１つがユーザ装置１０２に格納されたどのエリア識別子とも異なる場合、その位置を第２のネットワークノードに報告する（ステップ２５０）。この動作は、これ以降ユーザ装置動作形態２と呼ぶ。
【００６１】
ステップ２００では、ユーザ装置は、必要に応じて第１のネットワークノードから、例えば第１のエリア識別子と関連する有効期間の形態などのエリア識別子置換期間を受信してもよい。このようにして、エリア識別子置換期間は、更新されるセル数、更新されるセル内のユニット数、およびアクティブ移動端末数またはそのいずれかなどのネットワークの現状に応じて変更されてもよい。
【００６２】
以下では、移動端末またはＵＥが第１のネットワークノードまたはｅＮＢに関連するセルのエリア情報更新によってどのような影響を受けるかについて検討する。最初は、パラレルＴＡＣブロードキャストの開始時にセル内に存在しているＵＥだけが、多分影響を受けるであろう。セル内に存在するＵＥは、そのＴＡリストの中にそのセルのＴＡＣを含んでいる。ＴＡＣのパラレルブロードキャストの開始時、新しいＴＡＣをＴＡリストかまたはユーザ装置のエリア情報の中に含んでいない、セル内に存在するすべてのＵＥは、トラッキングエリア更新（ＴＡＵ）を行わなければならない。すなわち、ＵＥはどのトラッキングエリアに位置しているかをネットワークに報告しなければならない。しかし、影響を受けるすべてのＵＥがＴＡＵの実行を同時に試みる場合、同期ＴＡＣ更新に起因して特にいくつかのセルでこれが同時に起こる場合、望ましくないＴＡＵのピークがあるだろう。それ故、結果として行われるＴＡＵは、遅延型ＴＡＵの採用によって、パラレルＴＡＣブロードキャストの期間にわたって散らばることが望ましい（上記参照）。
【００６３】
セル内に存在するアイドルＵＥは、（ＴＡＣのパラレルブロードキャストの開始時）（新しいＴＡＣが既にＵＥの現在のＴＡリストにある場合を除いて）古いＴＡＣの有効期間が終了するまでに残された時間内で時間をランダムに選択し、ＴＡＵを実行する。ＭＭＥは、ＵＥに新しいＴＡＣを含むＴＡリストを提供する。ここで注意すべきは、パラレルブロードキャストの開始時に既にセル内に存在するＵＥは、ＴＡリストに関してネットワーク／ＭＭＥと同期していることである。すなわち、古いＴＡＣがＵＥのＴＡリストに含まれている。
【００６４】
セル内のアクティブＵＥ（ＴＡＣのパラレルブロードキャストの開始時にセル内に存在したアクティブＵＥ）も、（新しいＴＡＣが既にＵＥの現在のＴＡリストにある場合を除いて）古いＴＡＣの有効期間が終了するまでに残された時間内でランダムな時間の後、ＴＡＵを実行する。アクティブＵＥは、関連した物理ダウンリンク制御チャネル（ＰＤＣＣＨ）の表示によってシステム情報の変更を通知される。この場合もやはり、ＴＡＣのパラレルブロードキャストの開始時にＵＥがセルに（アクティブまたはアイドルとして）存在したので、ＵＥは、ＴＡリストに関してネットワーク／ＭＭＥと同期していることに注意してもよい。すなわち、古いＴＡＣがユーザ装置のＴＡリストの中に含まれている。ＵＥにセル内ハンドオーバを行うように命令することによってか、または他のもっと明示的なコマンド例えばＵＥにＴＡＵを実行するように指示する専用ＲＲＣ（無線リソース制御）メッセージによって、ｅＮＢがＴＡＵをトリガすることも可能ではあろう。しかし、ｅＮＢからＴＡＵをトリガするのは好ましい選択肢ではない。仮にｅＮＢからＴＡＵをトリガしたとしたら、ｅＮＢは、すべてのＵＥをトリガするであろう。ＴＡリストの中に既に新しいＴＡＣを有し、それ故にＴＡＵを行う必要がないはずのＵＥさえトリガするであろう。この問題を巧みに逃れるやり方は、新しいＴＡＣがＵＥのＴＡリストに含まれていないという条件が満足される場合だけ、セル内ハンドオーバを条件付きで行うようにＵＥに指示する（またはＴＡＵを条件付きで行うように明示的にＵＥに指示する）ことである。別の回避策は、ＭＭＥからｅＮＢに（新しいＴＡＣに関する）アクティブＵＥのＴＡリスト状態についての情報を提供させて、ｅＮＢがどのアクティブＵＥをトリガするかを選択し得るようにすることであろう。各ＵＥのＴＡリストは、例として、各アクティブＵＥに関してＭＭＥがｅＮＢに提供するＵＥコンテキストの中に多分含まれるであろう。しかし、好ましい解決手段は、ｅＮＢがアクティブＵＥにブロードキャストされたシステム情報の変更を知らせて、次いでアクティブＵＥに自装置のＴＡＵをスケジュールさせるという既存のメカニズムにとにかく頼ることである。アクティブＵＥに関してＴＡＵを遅延させるのは、ＵＥへの表示／メッセージを遅らせ得るｅＮＢによってか、または表示／メッセージの受信後に遅延させ得るＵＥによって、行われてもよい。
【００６５】
新しいＴＡＣを禁止ＴＡリストに含んでいるＵＥは、ＴＡＵを行わないが、古いＴＡＣの有効期間が終了するまでアイドルモードまたはアクティブモードで依然としてセル内に留まることができる。その間に、そのようなアイドルＵＥは、滞在すべき別の（許可される）セルの発見を試みる（すなわち、許可されるセルのセル再選択を行う）べきであり、ｅＮＢは、許可される隣接セルへのアクティブＵＥのハンドオーバを試みてもよい。
【００６６】
今までのところ、エリア情報更新が始まる時にセル内に存在していたＵＥだけについて検討してきた。ＴＡ構成更新中におけるＵＥによるセル内への移動およびセル間での移動についても検討しなければならない。この状況は、セル内でＴＡＣブロードキャストが始まる時に、ＵＥがセル内に存在しているときとは異なる。上述のように、パラレルＴＡＣブロードキャストが進行中であるセル（すなわち、ＴＡＣ更新を現在行っているセル）にＵＥが入るとき、パラレルＴＡＣブロードキャストがセル内で始まってから経過した時間は、原理上ランダムである。従って、ＵＥが予定されているＴＡＵをランダムに遅延させる理由はない。以下では、パラレルＴＡＣブロードキャストが進行中のセルに入るＵＥの動作について、２つの例を説明する。
【００６７】
ＵＥ動作１と呼ぶ第１の例では、ＴＡＣ更新が進行中であることを示すパラレルＴＡＣがブロードキャストされているセルにアイドルまたはアクティブのＵＥが入ると、ＵＥは、新しいＴＡＣだけを考慮し、それに沿って動作する。すなわち、新しいＴＡＣがＵＥのＴＡリストに含まれていない場合、ＵＥはＴＡＵを実行する。そうでなくて、新しいＴＡＣがＵＥのＴＡリストに含まれている場合、ＵＥは何もしない。
【００６８】
ＵＥ動作２と呼ぶ第２の例では、ＴＡＣ更新が進行中であることを示すパラレルＴＡＣがブロードキャストされているセルにアイドルまたはアクティブのＵＥが入ると、ＵＥは、ＴＡＵが必要かどうかを判定するとき、新旧両方のＴＡＣを考慮する。新ＴＡＣまたは旧ＴＡＣのいずれか１つがＵＥのＴＡリストに含まれていない場合、ＵＥはＴＡＵを実行する。すなわち、新旧両方のＴＡＣがＵＥのＴＡリストに含まれている場合だけ、ＵＥはＴＡＵを実行しない。
【００６９】
平均するとＵＥ動作２は、ＴＡＣ更新と同時にＵＥが呼び出されるときに、関与するセル数が少なくなるが、顕著な欠点は、この動作がＴＡＵを必要以上に多く行いかねないことである。ＴＡＣ更新にかかわっているセルを素早く通り抜けるＵＥまたはセル境界を越えて行ったり来たりするＵＥは、ＴＡＵを多分頻繁に行うであろうし、通常必要であろうよりはるかに多く行うであろう。この欠点ゆえに、本発明における判定では、ＵＥ動作１の方が好ましい。
【００７０】
ＵＥ動作１が使用されるかそれともＵＥ動作２が使用されるかにかかわらず、ＵＥの禁止ＴＡリストの中に新しいＴＡＣが含まれるセルへのセル選択またはセル再選択を行うのは好ましくない。ただし、このセルが、ＵＥが許容できる品質で伝送を受信し得る唯一のセルであって、且つ古いＴＡＣがＵＥの禁止ＴＡリストに含まれていないという条件（且つ古いＴＡＣが依然として有効という条件）の場合は別である。
【００７１】
図６を参照すると、第１のネットワークノード１０１がサービスを提供するセル１１０の第１のエリア識別子Ａ１を第２のエリア識別子Ａ２で置換するのに対応するための、ユーザ装置１０２の装置６００が示されている。置換は、エリア識別子置換期間が経過した時に完了する。ユーザ装置１０２は、エリア識別子を格納するように構成される。さらに、第１のネットワークノード１０１およびユーザ装置１０２は、無線通信ネットワークに含まれる。ユーザ装置はセル１１０内に位置する。装置は、第１のネットワークノード１０１から第２のエリア識別子Ａ２を受信するように構成された受信部と、エリア識別子置換期間内の時点で位置報告を第２のネットワークノード１０５に送信するように構成された送信部とを備え、ここで、第１のネットワークノード１０１は第２のネットワークノード１０５からサービスを提供され、第２のエリア識別子Ａ２は位置報告とともに第２のネットワークノード１０５、１０６に送信される。第１のネットワークノードが位置報告を第２のネットワークノードに転送するとき、その位置報告に第２のエリア識別子Ａ２を加えるように第１のネットワークノードが構成されるか、または第１のネットワークノードが第２のエリア識別子Ａ２を第２のネットワークノードに送信するように構成されるのが好ましいであろう。さらに、受信部は、第２のネットワークノード１０５、１０６から、ユーザ装置１０２に格納すべきエリア識別子リストを受信するように構成される。
【００７２】
ＵＥの装置６００のいくつかの実施形態では、受信部６１０は、第１のネットワークノード１０１から第１のエリア識別子Ａ１を受信するように構成され、時点（すなわち、ＵＥがその位置を第２のネットワークノードすなわちＭＭＥに報告するステップ２５０で言及されている時点）は、第２のエリア識別子Ａ２の受信から可変の時点である。
【００７３】
ＵＥの装置６００のいくつかの実施形態では、受信部６１０は、第１のネットワークノード１０１とは異なるネットワークノードから第１のエリア識別子Ａ１を受信するように構成され、（ステップ２５０で言及されている）時点は、セル１１０のエリア識別子の置換開始後にユーザ装置１０２がセル１１０に入る時点である。
【００７４】
ＵＥの装置６００のいくつかの実施形態では、（ステップ２５０で言及されている）時点は、エリア識別子置換期間内のランダムの位置にある。このように、ＵＥから送信される報告は時間的に散らばる。
【００７５】
いくつかの実施形態では、第１および第２のエリア識別子Ａ１、Ａ２の両方ともＵＥ内に格納されたエリア識別子のいずれかと同じである場合、ＵＥはその位置をネットワークに報告する必要がない。異なる言い回しをすると、第１および第２のエリア識別子Ａ２のいずれか１つでもＵＥに格納されたエリア識別子のどれとも異なる場合、位置報告が送信されることになる。
【００７６】
ＵＥの装置６００のいくつかの実施形態では、送信部６２０は、第１および第２のエリア識別子Ａ１がユーザ装置１０２に格納されたどのエリア識別子とも異なる場合だけ、位置報告を送信するようにさらに構成される。
【００７７】
ＵＥの装置６００のいくつかの実施形態では、受信部６１０は、第１のネットワークノードから例えば第１のエリア識別子Ａ１の有効期間の形態などのエリア識別子置換期間を受信するようにさらに構成される。
【００７８】
図７は、エリア識別子置換期間中にユーザ装置１０２を呼び出すための、第２のネットワークノード１０６における方法の一実施形態のフロー図を示す。第１のエリア識別子Ａ１の第２のエリア識別子Ａ２での置換は、エリア識別子置換期間が経過した時に完了し、ここで第１および第２のエリア識別子Ａ１、Ａ２は、エリア識別子置換期間中は第１のネットワークノード１０１のセル１１０に関連付けられる。第１のネットワークノード１０１は、第２のネットワークノード１０５、１０６からサービスを提供される。第１および第２のネットワークノードは、無線通信ネットワーク１００に含まれる。以下のステップが実行される。オプションのステップについては、その旨を説明し、破線のボックスで示す。
ステップ２１１〜２１３：これらのステップはオプションである。これらのステップの働きは、第２のネットワークノードに第１のエリア識別子から第２のエリア識別子への更新が迫っているとの情報を受信させ（ステップ２１１またはステップ２１２）、例えば第２のエリア識別子の形態などの関連情報を第１のネットワークノード１０１に場合によっては送信して、第１のネットワークノードに更新に対する準備をさせることである。第１の代替形態として、ステップ２１１は実行されるが、ステップ２１２と２１３は実行されない（この場合、第２のネットワークノードが関与しないステップ２１０も実行される）。第２の代替形態として、２１２は実行されるが（この場合、第２のネットワークノードが関与しないステップ２１０が先に実行される）、ステップ２１１と２１３は実行されない。第３の代替形態として、ステップ２１１と２１３は実行されるが、ステップ２１２は実行されない（第２のネットワークノードが関与しないステップ２１０は実行されない）。
ステップ２５０：第２のネットワークノード１０６は、ユーザ装置から位置報告を受信する。ここで、第２のエリア識別子が位置報告とともに受信される。異なった表現をすると、ＵＥは、トラッキングエリア更新要求を第１のネットワークノードに送信し（ＴＡＵを実行し）、その第１のネットワークノードは、第２のエリア識別子についての情報を加える。次いで、第２のエリア識別子についての情報は、位置報告とともにかまたはその一部としてＭＭＥである第２のネットワークノードに送信（または転送）されてもよい。第２のエリア識別子は、第２のネットワークノードによってユーザ装置に関連付けられているエリア識別子リストの中に含められる（すなわち、新しいＴＡＣを含むＴＡリストを作成する）。次に、第２のネットワークノードは、更新済みエリア識別子（すなわち、新しいＴＡリスト）をＵＥに提供（または第１のネットワークノード経由で送信）する。
ステップ７３０：このステップはオプションである。ステップ２５０において（すなわち、ユーザ装置がＴＡＵを実行したとき）第２のネットワークノードがユーザ装置から第２のエリア識別子を受信した時、エリア識別子置換期間が依然として継続中だったとすれば、第２のネットワークノードは、どのＵＥがエリア識別子置換に同期しているかの経過を追えるように、表示をユーザ装置と関連付ける。同期しているＵＥは、エリア識別子置換期間の開始後、位置報告を第２のネットワークノードに送信したＵＥすなわちＴＡＵ（またはアタッチ手順）を実行したＵＥである。
ステップ７４０：ネットワークがユーザ装置を呼び出す必要があるとき、第１の条件セットと第２の条件セットのどちらかが満足される場合、第２のネットワークノード１０６は、そのセル内のユーザ装置を呼び出す。（ＵＥ動作１が使用される場合に適用されてもよい）第１の条件セットを適用するとき、エリア識別子置換期間の開始前（且つ呼び出しステップの前）に、ユーザ装置から第２のエリア識別子を受信するステップ（すなわちステップ２５０）が行われた場合（すなわち、ユーザ装置がエリア識別子置換に同期していない場合）、且つ第１および第２のエリア識別子のいずれかがエリア識別子リストの中に用意されている場合（すなわち、第１または第２（または両方）のＴＡＣがユーザ装置に関連しているＴＡリストに含まれる場合）に、第２のネットワークノードはユーザ装置を呼び出す。第２の条件セットを適用するとき、ユーザ装置から第２のエリア識別子を受信するステップ（すなわちステップ２５０）がエリア識別子置換期間中且つ呼び出しのステップの前に起こった場合（すなわち、ユーザ装置がエリア識別子置換に同期している場合）、且つ第２のエリア識別子がエリア識別子リストの中に用意されている場合（すなわち、第２のＴＡＣがユーザ装置に関連するＴＡリストに含まれている場合）、第２のネットワークノードはユーザ装置を呼び出す。
【００７９】
第２のネットワークノードにおける方法の実施形態では、エリア識別子置換期間の開始前（且つ呼び出しステップの前）にステップ２５０において第２のネットワークノードが第２のエリア識別子Ａ２を受信した場合（すなわち、ユーザ装置が同期していない場合）、且つ第１のエリア識別子Ａ１がエリア識別子リストに用意されている場合（すなわち、第１のＴＡＣがユーザ装置に関連するＴＡリストに含まれる場合）、第２のネットワークノードがユーザ装置を呼び出すように、（ユーザ装置動作２が使用される場合）第２のネットワークノードは上記第１の条件セットの代替形態を適用してもよい。このようにして、ユーザ装置動作２を採用するユーザ装置は、正しく効率的に呼び出され得る。以下の検討を参照されたい。
【００８０】
第２のネットワークノードにおける方法の実施形態では、受信ステップがエリア識別子置換期間の開始後に起こった場合（すなわち、ユーザ装置が同期している）、且つ第２のエリア識別子がエリア識別子リストの中に用意されている場合、エリア識別子置換期間中にユーザ装置を呼び出すステップがさらに実行される。この事例では、第２のネットワークノードはユーザ装置から位置報告を受信しており、これによりユーザ装置はエリア識別子置換に同期する。その結果、ユーザ装置がどのセル内に位置し得るかを第２のネットワークノードが判定するのが易しくなる。従って、第２のネットワークノードは、それらのセル内すなわち第２のエリア識別子に関連付けられているセルにおいてだけユーザ装置を呼び出す。
【００８１】
図８では、エリア識別子置換期間中にユーザ装置１０２を呼び出すための、第２のネットワークノード１０６の装置８００のブロック図を示す。第１のエリア識別子Ａ１の第２のエリア識別子Ａ２での置換は、エリア識別子置換期間が経過した時に完了可能である。ここで、第１および第２のエリア識別子Ａ１、Ａ２は、エリア識別子置換期間中、第１のネットワークノード１０１のセル１１０に関連付け可能である。第１のネットワークノード１０１は、第２のネットワークノード１０６からサービス提供可能である。第１および第２のネットワークノードは、無線通信ネットワーク１００に含まれる。さらに、装置は、ユーザ装置から位置報告を受信するように構成された受信部８１０と、第２のネットワークノード１０６の中に第２のエリア識別子Ａ２を含むエリア識別子を格納するように構成された格納部８３０と、エリア識別子置換期間の開始前に位置報告が受信された場合、且つ第１および第２のエリア識別子Ａ１、Ａ２のいずれか１つがエリア識別子リストの中に用意されている場合、エリア識別子置換期間中にセル１１０においてユーザ装置１０２を呼び出すように構成されたページング部８２０とを備える。ここで、第２のエリア識別子は位置報告とともに受信可能であり、エリア識別子はユーザ装置１０２に関連付けられる。
【００８２】
第２のネットワークノードの装置８００のいくつかの実施形態では、ページング部８２０は、第１のエリア識別子Ａ１がエリア識別子リストの中に用意されている場合だけエリア識別子置換期間中にユーザ装置を呼び出すようにさらに構成される。このようにして、ユーザ装置動作２を採用するユーザ装置は、正しく効率的に呼び出され得る。以下の検討を参照されたい。
【００８３】
第２のネットワークノードの装置８００のいくつかの実施形態では、ページング部８２０は、エリア識別子置換期間の開始後に位置報告が受信された場合、且つ第２のエリア識別子Ａ２がエリア識別子リストの中に用意されている場合、エリア識別子置換期間中にセル１１０内のユーザ装置１０２を呼び出すようにさらに構成される。
【００８４】
ここで続けて、同期および非同期のトラッキングエリア構成に関する呼び出し方法の検討を行う。
【００８５】
ＭＭＥの視点からは、エリア構成の更新によって影響を受けるかもしれないＵＥは、ＴＡＣ更新を行っているセル内に実際に存在しているＵＥだけでなく、ＭＭＥが入手可能な情報から判断して、ＴＡＣ更新を行っているセル内にひょっとすると存在することになるかもしれないすべてのＵＥである。この意味することは、セルＸがＴＡＣ＝１からＴＡＣ＝２に変更している場合、２つのＴＡＣのパラレルブロードキャストがセルＸ内で始まる時にＴＡリストの中にＴＡＣ＝１を含んでいるすべてのＵＥは、（ＭＭＥの視点からは）セルＸに存在する可能性がある。セルＸに存在する可能性があるＵＥのうち、ＴＡリストの中に新しいＴＡＣすなわちＴＡＣ＝２も含んでいるＵＥは、ＴＡＣ更新によって影響を受けない。この意味することは、ＭＭＥの視点からは、セルＸ内のＴＡＣ更新で影響を受けるＵＥは、ＴＡリストの中にＴＡＣ＝１（古いＴＡＣ）を有するがＴＡＣ＝２（新しいＴＡＣ）を含んでいない、ＭＭＥがサービスを提供するＵＥである。
【００８６】
影響を受けるＵＥまたは影響を受けないＵＥという概念が、ＭＭＥの呼び出し方法を決定する。呼び出し方法は、各セルのＴＡＣ更新が他のセルの更新と無関係かどうか、すなわち異なるセルにおけるＴＡＣ更新が同期しているか否かにも依存する。
【００８７】
非同期ＴＡＣ更新の間、各セルのＴＡＣ更新手順は、他のセルのＴＡＣ手順とは無関係に行われる。ＴＡＣ更新は、複数のセルで並行して進行中でもよいが、手順は、時がたてば（一部重なりながら）移ってもよい。ＭＭＥに関してこれは、その呼び出し方法を決定するとき、各セルを別々に考慮しなければならないことを意味する。
【００８８】
ＵＥを呼び出すセルをどのように選択するかの直接的アプローチは、ＵＥのＴＡリストの中に古いＴＡＣ（すなわち、変更元のＴＡＣ）または新しいＴＡＣ（すなわち、変更先のＴＡＣ）のどちらかが含まれているすべてのセルにおいて、ＵＥを呼び出すことである。これは、単純だがあまり効率的ではない方法である。ＭＭＥが入手可能な情報から（もっと賢い方法を使用した場合に）ＵＥが位置することができないと推定できるセルにおいて、ＵＥを呼び出す結果になるからである。無線リソースをより効率よく利用する呼び出し方法が好ましい。
【００８９】
以下は、よりリソース効率のよい方法を使用するＭＭＥの動作についての概念記述である。
【００９０】
ＭＭＥがサービスを提供するＵＥのそれぞれに関して、ＭＭＥは、ＵＥがいつ最後のＴＡＵを行ったかを示すタイムスタンプを維持する。これには、通常のＴＡＵ、定期的ＴＡＵ、およびＭＭＥが求めなかったＵＥのＴＡリストのあらゆる更新（例えば、アタッチ手順中）を含む。このタイムスタンプは、ＴＡＵタイムスタンプと呼ばれ、その値は、最後のＴＡＵ時刻と呼ばれる。
【００９１】
ＭＭＥがＵＥを呼び出すとき、呼び出しに含めるべきセルを選択しなければならない。この場合ＭＭＥは、セルを３つの異なるカテゴリに分類し、異なるカテゴリに対して異なる選択手順を使用する。３つのセルカテゴリは以下の通りである。
・カテゴリ１のセル：ＴＡＣ更新を実施中のセル（すなわち、パラレルＴＡＣブロードキャストが進行中のセル）且つＵＥの最後のＴＡＵ時刻の後にＴＡＣ更新（すなわち、パラレルＴＡＣブロードキャスト）を開始したセル。
・カテゴリ２のセル：ＴＡＣ更新を実施中のセル（すなわち、パラレルＴＡＣブロードキャストが進行中のセル）且つＵＥの最後のＴＡＵ時刻の前にＴＡＣ更新（すなわち、パラレルＴＡＣブロードキャスト）を開始したセル。
・カテゴリ３のセル：ＴＡＣ更新を実施中でないセル。
【００９２】
ＭＭＥは、ＵＥを呼び出すセルを選択するとき、以下の基準を使用する。
・カテゴリ１のセルの中から、ＭＭＥは、ＵＥ動作１が使用されているかそれともＵＥ動作２が使用されているかに応じて、異なるセルを選択する。
ＵＥ動作１が使用されている場合、ＭＭＥは、ＵＥのＴＡリストにそのセルの古いＴＡＣかまたは新しいＴＡＣが含まれているセルを選択する。（言い換えると：あるセルの古いＴＡＣかまたは新しいＴＡＣがＵＥのＴＡリストに含まれる場合、そのカテゴリ１のセルは呼び出しに含まれる）。
ＵＥ動作２が使用されている場合、ＵＥのＴＡリストにそのセルの古いＴＡＣが含まれているセルを選択する。（言い換えると：あるセルの古いＴＡＣがＵＥのＴＡリストに含まれる場合、そのカテゴリ１のセルは呼び出しに含まれる）。
・カテゴリ２のセルの中から、ＭＭＥは、ＵＥのＴＡリストにそのセルの新しいＴＡＣが含まれているセルを選択する。（言い換えると：あるセルの新しいＴＡＣがＵＥのＴＡリストに含まれる場合、そのカテゴリ２のセルは呼び出しに含まれる）。この選択基準は、ＵＥ動作１と２の両方に対して同じである。
・カテゴリ３の中から、ＭＭＥは、ＵＥのＴＡリストにそのセルの唯一のＴＡＣが含まれているセルを選択する（すなわち、通常の呼び出し動作）。（言い換えると：あるセルの唯一のＴＡＣがＵＥのＴＡリストに含まれている場合、そのカテゴリ３のセルは呼び出しに含まれる）。この選択基準は、ＵＥ動作１と２の両方に対して同じである。
【００９３】
ＭＭＥは、セル選択手順の全部を自装置で行う必要は多分ないであろう。代わりにＭＭＥは、どのｅＮＢが呼び出しを行うかを決定し、次いでｅＮＢへの呼び出し指示の一部としてＵＥのＴＡリストおよび最後のＴＡＵ時刻を送信するだけでよい。次いで各ｅＮＢは、そのセルのどれが（ｅＮＢが１つ以上のセルを有し得ることに注意）選択基準を満足するかを決定するだろう。
【００９４】
明らかにＵＥ動作２の方が、平均して呼び出しに含まれるセル数が少ない結果になるが、上述のようにＵＥ動作１が依然として好ましい。
【００９５】
以下は、非同期ＴＡＣ更新中の呼び出し方法の別の概念記述であり、ＵＥ動作１に関して外部から観察できる動作は同じになる（すなわち、呼び出しに同じセルが含まれる）。注意すべきは、この概念記述は、ＵＥ動作１が使用される場合だけ上記の記述と同等であるが、ＵＥ動作１が好ましいので、一例としてこの概念記述を提示することは依然として多分役立つであろう。
【００９６】
セル内でＴＡＣのパラレルブロードキャストが始まると、ＭＭＥは、（ＭＭＥの視点から）ＭＭＥがサービスを提供したＵＥの中から、ＴＡＣ更新によって影響を受けるすべてのＵＥのリストを作成する、すなわち、ＴＡリストに古いＴＡＣは含んでいるが新しいＴＡＣを含んでいないＵＥのリストを作成する。注意すべきは、ＴＡリストに（古いＴＡＣに加えて）新しいＴＡＣを含むＵＥを、影響を受けるＵＥのリストに含めるか否かは、実際のところＭＭＥがどのセルにおいてＵＥを呼び出すかに影響を及ぼさないことである。しかし、そのようなＵＥを含めないように選択することによって、影響を受けるＵＥのリストを短くすることになり、利点になり得る。注意すべきは、ＭＭＥはそのリストをセル毎に作成する、すなわちＴＡＣ切替えを行っているそれぞれのセルに対して１つのリストを作成することである（この動作が非同期ＴＡＣ更新に適合されているからである）。
【００９７】
影響を受けるＵＥのリストの中のＵＥを呼び出すとき、ＭＭＥは、当該セルを古いＴＡＣを有するＴＡの一部であると見なす、すなわち、そのセルにおいてＵＥを呼び出す複数のセルの中の１つであると見なす（影響を受けるＵＥのリストのすべてのＵＥは、ＴＡリストに古いＴＡＣを含んでいるからである）。
【００９８】
（どのセルに関しても）影響を受けるＵＥのリストに含まれるＵＥがＴＡＵを実行したときはいつでも（どのＴＡでＴＡＵが実行されるか、およびＭＭＥがどのＴＡをＵＥに提供するＴＡリストに含めるかに関係なく）、ＭＭＥは、影響を受けるＵＥのリストから（すなわち、そのＵＥが含まれ得る影響を受けるＵＥのすべてのリストから）そのＵＥを取り除く。
【００９９】
あるセルに関して影響を受けるＵＥのリストに含まれないＵＥを呼び出すとき、ＭＭＥは、そのセルを新しいＴＡＣを有するＴＡの一部であると見なす、すなわちそのＵＥのＴＡリストに新しいＴＡＣが含まれている場合だけ、そのセルにおいてＵＥを呼び出す。
【０１００】
あるセルで古いＴＡＣの有効期間が終了し、パラレルＴＡＣブロードキャストが終了すると、ＭＭＥは、そのセルに関する影響を受けるＵＥのリストを全部削除する。その後ＭＭＥは、そのセルをすべてのＵＥに関して新しい（そして今や唯一の）ＴＡＣを有するＴＡの一部であると見なす。
【０１０１】
ＭＭＥは、ＴＡＣ更新を実施中の各セル、すなわちパラレルＴＡＣブロードキャストが進行中の各セルに関して、この動作および呼び出し方法を維持する。
【０１０２】
同期ＴＡＣ更新中は、影響を受けるすべてのセルにわたってＴＡ構成変更が同時に実施される、すなわち、パラレルＴＡＣブロードキャストの開始と終了は、影響を受けるすべてのセルに関して同期している。同期ＴＡＣ更新に関する呼び出し方法について以下に説明する。
【０１０３】
この場合もまた、ＵＥのＴＡリストにそのセルの古いＴＡＣ（すなわち変更前のＴＡＣ）または新しいＴＡＣ（すなわち変更後のＴＡＣ）が含まれるすべてのセル内でＵＥを呼び出す直接的な方法を使用し得る。要するにこれが意味するであろうことは、ＵＥがＴＡリストの新旧のＴＡ構成表現の合同で、呼び出されるということである。しかし、同期ＴＡＣ更新に関してもまた、よりリソース効率のよい方法が好ましく、それについて以下に説明する。
【０１０４】
非同期ＴＡＣ更新に関するのと同じ概念の呼び出し方法がこの場合も使用されてもよいが、関与するすべてのセルにおいてＴＡＣ更新が同時に始まることで、より簡単なアプローチが可能になる。
【０１０５】
ＭＭＥは、各ＵＥに対するＴＡＵタイムスタンプを時間的に連続するように維持する必要があるわけではない。代わりに、同期ＴＡＣ更新（すなわち、パラレルＴＡＣブロードキャスト）が始まると、ＭＭＥは、サービスを提供しているすべてのＵＥに「新しいＴＡ構成に同期していない」と印をつける。（そのＵＥのＴＡリストの中に少なくとも１つの古いＴＡＣを有する、すなわち少なくとも１つのセルにおける変更元のＴＡＣを有するあらゆるＵＥに印をつければ十分であろうが、すべてのＵＥに印をつける方が簡単で、同じ結果を生じる）。ＵＥが新しいＴＡ構成に同期しているか否かの表示は、ＴＡＣ更新（すなわち、パラレルＴＡＣブロードキャスト）の開始前または開始後にＵＥが最後のＴＡＵを実行したか（または別のやり方でＭＭＥから新しいＴＡリストを受信したか）どうかの表示と同等である。従って、これは、基本的にＴＡＵタイムスタンプの簡易バージョンであり、原理上同じ目的に使用される。
【０１０６】
続いて、ＵＥがＴＡＵを実行する（または他のやり方でＭＭＥから新しいＴＡリストを割り当てられる）と、ＭＭＥはＵＥの「印を外す」（または「新しいＴＡ構成に同期している」と印を付ける）。同期ＴＡＣ更新が完了すると（すなわち、パラレルＴＡＣブロードキャストが終了すると）、ＭＭＥは、サービスを提供しているすべてのＵＥの「印を外す」（または「新しいＴＡ構成に同期している」と印を付ける）。
【０１０７】
呼び出しのためにセルを選択する場合、２つのセルカテゴリだけが関係する。
・カテゴリＡのセル：ＴＡＣ更新を実施中のセル（すなわち、パラレルＴＡＣブロードキャストが進行中のセル）。
・カテゴリＢのセル：ＴＡＣ更新を実施中でないセル。
【０１０８】
「新しいＴＡ構成に同期していない」と印を付けられているＵＥを呼び出すとき、ＭＭＥは、以下の基準に従って、呼び出すためのセルを選択する。
・カテゴリＡのセルの中から、ＭＭＥは、ＵＥ動作１が使用されているかそれともＵＥ動作２が使用されているかに応じて、異なるセルを選択する。ＵＥ動作１が使用されている場合、ＭＭＥは、ＵＥのＴＡリストにそのセルの古いＴＡＣかまたは新しいＴＡＣが含まれているセルを選択する。（言い換えると：あるセルの古いＴＡＣかまたは新しいＴＡＣがＵＥのＴＡリストに含まれている場合、そのカテゴリＡのセルは「印の付いた」ＵＥの呼び出しに含まれる）。注意すべきは、カテゴリＡのセルにおいて印の付いたＵＥを呼び出すのは、非同期ＴＡＣ更新と併せてカテゴリ１のセルにおいてＵＥを呼び出すのと同等であることである。ＵＥ動作２が使用されている場合、ＭＭＥは、ＵＥのＴＡリストにそのセルの古いＴＡＣが含まれているセルを選択する。（言い換えると：そのセルの古いＴＡＣがＵＥのＴＡリストに含まれている場合、そのカテゴリＡのセルは、「印の付いた」ＵＥのページに含まれる）。
・カテゴリＢのセルの中から、ＭＭＥは、ＵＥのＴＡリストにそのセルの唯一のＴＡＣが含まれているセルを選択する（すなわち、通常の呼び出し動作）。（言い換えると：あるセルの唯一のＴＡＣがＵＥのＴＡリストに含まれている場合、そのカテゴリＢのセルは、「印の付いた」ＵＥの呼び出しに含まれる。この選択基準は、ＵＥ動作１とＵＥ動作２の両方に対して同じである。注意すべきは、カテゴリＡのセル内での印の付いているまたは印の付いていないＵＥを呼び出すことは、非同期ＴＡＣ更新と併せてカテゴリ３のセル内でＵＥを呼び出すのと同等であるということである。
【０１０９】
「新しいＴＡ構成に同期していない」と印を付けられていない（例えば、「印が付いていない」または「新しいＴＡ構成に同期している」と印の付いた）ＵＥを呼び出すとき、ＭＭＥは、以下の基準に従って、呼び出すためのセルを選択する。
・カテゴリＡのセルの中から、ＭＭＥは、ＵＥのＴＡリストにそのセルの新しいＴＡＣが含まれているセルを選択する（言い換えると：ＵＥのＴＡリストにあるセルの新しいＴＡＣが含まれている場合、そのカテゴリＡのセルは「印を付けられていない」ＵＥの呼び出しに含まれる。この選択基準は、ＵＥ動作１と２の両方に対して同じである。注意すべきは、カテゴリＡのセルにおいて印を付けられていないＵＥを呼び出すことは、非同期ＴＡＣ更新と併せてカテゴリ２のセルにおいてＵＥを呼び出すことと同等である。
・カテゴリＢのセルの中から、ＭＭＥは、ＵＥのＴＡリストにそのセルの唯一のＴＡＣが含まれているセルを選択する（すなわち、通常の呼び出し動作）。（言い換えると、あるセルの唯一のＴＡＣがＵＥのＴＡリストに含まれている場合、そのカテゴリＢのセルは「印の付いていない」ＵＥの呼び出しに含まれる）。この選択基準は、ＵＥ動作１と２の両方に対して同じであり、呼び出されるＵＥが「印を付けられている」ときと同じである。
【０１１０】
ＭＭＥは、セル選択手順を自装置で全部行う必要は多分ないであろう。代わりにＭＭＥは、どのｅＮＢが呼び出しを行うかを決定し、次いでｅＮＢへの呼び出し指示の一部としてＵＥのＴＡリストおよび「印の付いている」／「印の付いていない」状態を送信する。
【０１１１】
同様にこの事例に関しても、ＵＥ動作２の方が平均して呼び出しに含まれるセル数が少ないが、ＵＥ動作１の方が依然として好ましい。
【０１１２】
以下は、同期ＴＡＣ更新中の呼び出し方法の別の概念記述であり、ＵＥ動作１に関して外部から観察できる動作は同じになる（すなわち、呼び出しに同じセルが含まれる）。注意すべきは、この概念記述は、ＵＥ動作１が使用される場合だけ上記の記述と同等であるが、ＵＥ動作１が好ましいので、一例としてこの概念記述を提示することは依然として多分役立つであろう。
【０１１３】
この概念記述は、非同期ＴＡＣ更新の場合の呼び出し方法の概念記述とある種の類似点があるが、セルのＴＡＣ更新が同期されるときは、ＭＭＥは、セル毎に影響を受けるＵＥのリストを作成および維持する必要がない。代わりに、ＴＡＣ更新（すなわち、パラレルＴＡＣブロードキャスト）の開始時、ＭＭＥは、影響を受けるセルの少なくとも１つにおいて、古いＴＡＣのそれぞれに関してすなわち変更元のＴＡＣのそれぞれに関して、影響を受けるＵＥのリストを作成する。古いＴＡＣに関する影響を受けるＵＥのリストは、作成されると、ＭＭＥがサービスを提供するあらゆるＵＥを含むはずであり、それらのＵＥは、そのＴＡリストに当該の古いＴＡＣを含んでいる。
【０１１４】
影響を受けるＵＥのリストに含まれるＵＥが（どのＴＡＣに関しても）ＴＡＵを実行した（または他のやり方でＭＭＥから新しいＴＡリストを受信した）ときはいつでも（どのＴＡでＴＡＵが実行されたか、およびＭＭＥがＵＥに提供するＴＡリストにどのＴＡを含めたかに関係なく）、ＭＭＥは、影響を受けるＵＥのリストのすべてからそのＵＥを取り除く。
【０１１５】
ＵＥを呼び出すためのセルを選択するとき、ＭＭＥは、以下の基準を使用する。
【０１１６】
ＵＥのＴＡリストに含まれるあらゆるＴＡＣに関して、
・ＭＭＥは、当該ＴＡＣ（この場合セルの唯一のＴＡＣである）を有する非ＴＡＣ更新(non-TAC updating)セルをすべて常に選択する。（これは、通常の動作にすぎない）。
・ＭＭＥは、当該ＴＡＣ（すなわち、ＵＥのＴＡリストの中のＴＡＣ）が新しいＴＡＣ（すなわち、変更先のＴＡＣ）であるＴＡＣ更新を実施中（すなわち、パラレルＴＡＣブロードキャストが進行中）のセルをすべて常に選択する。
・当該ＴＡＣ（すなわち、ＵＥのＴＡリストの中のＴＡＣ）に関して、ＵＥが影響を受けるＵＥのリストに含まれる場合、ＭＭＥは、古いＴＡＣ（すなわち、変更元のＴＡＣ）として当該ＴＡＣを有するセルも選択する。
【０１１７】
セル内の古いＴＡＣの有効期間が終了し、パラレルＴＡＣブロードキャストが終了すると、ＭＭＥは、すべての古いＴＡＣに関して影響を受けるＵＥのリストを全部取り除き、通常の呼び出し動作に戻る。
【０１１８】
図９は、無線通信ネットワーク１００における方法のさらなる実施形態を説明する信号伝達およびフロー合成図を示す。図の破線矢印は、メッセージ（または手順）がオプションであることを示す。矢印と「ノード」の縦線との交差個所の黒点は、ノードがメッセージ（または手順）を中継することを示す。この実施形態では、（基地局動作形態２と呼ぶ）第１のネットワークノードの動作は、上記の例の第１のネットワークノードの動作とは異なる。初期のステップ２００、２１０、２１１、２１２、２１３、２１４、２１５については、図２に関連して説明している。簡潔にするために、これらについての説明はここでは省略する。
ステップ２３５：第１のネットワークノードが、第２の（または新しい）ＴＡＣをユーザ装置に送信する。基地局動作１（すなわち、上記の例）との違いは、第１のネットワークノードが第１の（または古い）ＴＡＣを第２の（または新しい）ＴＡＣと同時にユーザ装置に送信し続けないことである。このステップは、第１の（または古い）ＴＡＣと第２の（または新しい）ＴＡＣの両方とも有効である（とは言え、第２の（または新しい）ＴＡＣだけがユーザ装置に送信される）遷移ＴＡＣ更新期間(transient TAC update period)（またはエリア識別子置換期間）の開始でもある。
ステップ２５０：このステップは、図２と関連して前に説明している。それ故、ここでは省略する。
ステップ２６５：遷移ＴＡＣ更新期間（またはエリア識別子置換期間）が終了する。その結果、第１の（または古い）ＴＡＣはもはや有効ではない。
【０１１９】
最後のステップ２６１、２６２、２８０、２８１は、図２に関連して説明している。簡潔にするために、これらについての説明はここでは省略する。
【０１２０】
図１０は、セル（１１０）の第１のエリア識別子（Ａ１）をそのセル（１１０）に対する第２のエリア識別子（Ａ２）で置換するための、第１のネットワークノード（１０１）における方法の別の実施形態を表すフロー図を示す。図１０の実施形態は、図３に示される実施形態とよく似ているので、ここで述べない要素、部分、条件またはステップの説明に関しては図３を参照されたい。以下のステップが実行される。
ステップ２１０、２１２、２１３および２１４：上記参照。
ステップ２３５：第１のネットワークノードが、エリア識別子置換期間（または遷移更新期間）中、第２のエリア識別子Ａ２をユーザ装置１０２に送信する。この遷移更新期間中は、第１のエリア識別子Ａ１も第２のエリア識別子Ａ２も有効であるが、第２のエリア識別子Ａ２だけがユーザ装置に送信される。
ステップ２５０：上記参照。
ステップ２６５：エリア識別子置換期間（または遷移更新期間）が終了する。これが意味することは、第１のエリア識別子Ａ１がもはや有効ではないということである。エリア識別子置換期間（または遷移更新期間）が経過した時には、（エリア情報更新の影響を受ける）すべてのＵＥは、ＴＡＵを実行していなければならない。
ステップ２６１、２６２および２８０：上記参照。
【０１２１】
上記による第１のネットワークノードまたはｅＮＢの動作については、基地局動作形態２と呼ぶ。基地局動作形態２は、好ましい形態であり、ＬＴＥの無線インタフェースへの変更なしに実施し得る、例えばブロードキャストシステム情報の中に入れるのに許可を必要とする情報がない。しかし、当業者が２つのやり方の組み合わせを適用し得ることも理解されるはずである。
【０１２２】
解決形態１と解決形態２との最大の違いは、解決形態２ではエリア識別子置換期間中の新旧のエリア識別子（ＴＡＣ）のパラレルブロードキャストが省略されていることである。この遷移期間中はシステム情報の中で新しいエリア識別子だけがブロードキャストされるが、しかしながら、この遷移更新期間中は新旧両方のエリア識別子が有効であるという意味で、エリア識別子置換期間は依然として使用されている（とは言え、いくつかの実施形態では、このことは、影響を受けるユーザ装置が暗黙のうちに知っているに過ぎない）。
【０１２３】
解決形態１と解決形態２とのもう１つの大きな違いは、エリア識別子置換期間が影響を受けるユーザ装置に明示的に示されていない解決形態２の実施形態では、影響を受けるユーザ装置、すなわちエリア識別子置換期間の開始時にエリア識別子更新を行っているセルの中に存在するユーザ装置は、エリア識別子のパラレルブロードキャストの開始からエリア情報の更新を検出するのではなく、システム情報の２つのブロードキャスト事象の間でエリア識別子が変わったことから検出するということである。ｅＮＢはまた、呼び出しメッセージによってアイドルＵＥに、そしてシステム情報が変更されているというシグナリングチャネル上の表示によってアクティブＵＥに知らせてもよい。
【０１２４】
エリア識別子置換期間、特にその長さは、解決形態２では固定されてもよい、例えば標準化または（ＭＭＥおよびＵＥおよび場合によってはｅＮＢで）事前構成されてもよい。この標準化または事前構成されたデータは、ＭＭＥでは、修正呼び出し方法をどのくらい長く使用するかを決定するとき使用されるであろう。そしてＵＥでは、それはＴＡＵのランダム遅延に対する上限を設定するであろう。ｅＮＢでは、それは、新しいＴＡＣが禁止されているアクティブＵＥがセルに留まるのをｅＮＢが許容する時間を支配できよう。もう少しだけ柔軟な代替形態として、エリア識別子置換期間は、ネットワークで半静的に設定可能で、アタッチ手順中（すなわち、ユーザ装置が最初にネットワークに登録する時）にユーザ装置に転送できよう。またもう１つの代替形態は、ブロードキャストシステム情報の中で（１つまたは２つの）永続的パラメータ（すなわち、エリア識別子置換中に存在するだけでなく）として、遷移期間の長さを（および場合によっては開始時間も）知らせることである。エリア識別子置換期間は、システム情報の中の（１つ以上の）オプションのパラメータで知らせることもできよう。そのオプションのパラメータは、識別子置換期間中およびエリア識別子置換期間の開始の少し前だけシステム情報に含まれるであろう。（エリア識別子置換期間がブロードキャストシステム情報の中で示される）これら後の方の代替形態が使用される場合、（１つ以上の）パラメータは、計画されたエリア情報更新（ＴＡＣ更新）に先立ち変更でき、遷移更新期間を解決形態１と同じほど柔軟にするであろう。
【０１２５】
解決形態１に見られるように、ＯＳＳは、新しいＴＡ構成に変更することが有益であると判定した後で、ＴＡ構成変更を開始する。同様に解決形態１に見られるように、ＯＳＳは、影響を受けるｅＮＢとＭＭＥの両方か、または影響を受けるｅＮＢもしくはＭＭＥ（この場合、これらは、Ｓ１インタフェース越しに互いに通知する）、ならびに場合によっては影響を受けるｅＮＢの隣接のｅＮＢにも準備させる。解決形態１との違いは、ＴＡＣ更新期間の長さが標準化またはｅＮＢで事前設定されているならば、ｅＮＢは古いＴＡＣの有効期間を用意してもらう必要がないことである。しかし、システム情報の中でＴＡＣ更新期間（またはエリア識別子置換期間）を知らせる手段が使用される場合、ＯＳＳは、ＴＡ構成更新が実際に実行されるいくらか前に、システム情報の中でＴＡＣ更新期間長を変更するように（影響を受ける）ｅＮＢに指示することで、特定のＴＡ構成更新のそれぞれに遷移ＴＡＣ更新期間を適合できよう。
【０１２６】
呼び出し方法の点から見たＭＭＥ動作は、原理上（同期と非同期の両方のＴＡ構成更新に関して）解決形態１と同じである。違いは、ＭＭＥが影響を受けるＵＥに対して修正呼び出し方法を使用する遷移期間が、影響を受けるセル内のパラレルＴＡＣブロードキャストの期間と一致するわけではなく、代わりに他のＴＡ構成更新準備データ（ことによると特定のＴＡ構成更新中だけ有効）に加えて、標準化された、半静的に構成された、または（例えばＯＳＳから）動的に構成されたパラメータによって支配されることである。
【０１２７】
図１１および１３を参照すると、それぞれ解決形態１および２に関してＭＭＥプール切替えを必要とするエリア構成更新のためのシグナリングが示されている。この場合もやはり、破線矢印はメッセージ（または手順）がオプションであることを意味することに注意してもよい。矢印と「ノード」の縦線との交差個所の黒点は、メッセージ（または手順）がノードによって中継されることを示す。図１１および１３には、新しいＭＭＥと呼ぶさらなるＭＭＥがあり、このＭＭＥは、ｅＮＢが切替わる先のＭＭＥプールの中のＭＭＥである。さらに、図１１のＰＤＮ  ＧＷはパケットデータネットワークゲートウェイ(Packet Data Network Gateway)の短縮である。
【０１２８】
図１１に示されるように、以下のステップが行われる。オプションのステップについては、そのように述べ、破線の矢印で示す。
ステップ２１０〜２１５：これらのステップについては前に説明しており、従って簡潔にするために、これらのステップの説明はここでは省略する。
ステップ２１６：このステップはオプションであり、ステップ２１７が実行されない場合に行われるのが好ましい。ＯＳＳが、新しいＭＭＥを構成し用意するが、この新しいＭＭＥは、エリア更新を実施中で別のＭＭＥ（またはＭＭＥプール）に切替わる必要があるｅＮＢを扱うためのものである。
ステップ２２０：現在のｅＮＢと新しいＭＭＥプールとの間に、Ｓ１インタフェースが確立される。
ステップ２１７：このステップはオプションであり、ステップ２１６が実行されない場合に行われるのが好ましい。エリア更新を実施中で別のＭＭＥ（またはＭＭＥプール）に切替わる必要があるｅＮＢは、新しいＭＭＥの準備をする。
ステップ２２０：ｅＮＢは、新しいＭＭＥ（実際のところ新しいＭＭＥプールの中の各ＭＭＥ）へのＳ１インタフェースを確立する。
ステップ２３０：上記説明参照。
ステップ２４０：これは、ｅＮＢを新しいＭＭＥに切替える実際のステップである。ｅＮＢのセル内ハンドオーバおよびＭＭＥ再配置(MME relocation)が行われる。
ステップ２５０：ＵＥがアクティブの場合、ＵＥは、ＴＡＵを実行する、すなわちｅＮＢ経由でＭＭＥにその位置を報告する。
ステップ２５１：ＵＥがアイドルの場合、ＴＡＵを実行する。
ステップ２６０および２６２：上述している。簡潔にするために、これらのステップの説明はここでは省略する。
ステップ２７０：ＭＭＥ（プール）切替えを実施中のｅＮＢと変更元の古いＭＭＥとの間のＳ１インタフェース（実際のところ古いＭＭＥプールの中の各ＭＭＥへのＳ１インタフェース）が、取り除かれる。
ステップ２８０：簡潔にするために、このステップについては上の説明を参照されたい。しかし、上の説明に加えて、ｅＮＢからの報告は、ＭＭＥ／Ｓ−ＧＷ（モビリティ管理エンティティ／在圏ゲートウェイ、Mobility Management Entity/Serving Gateway）プール切替えの実施についての情報を有してもよい。
ステップ２８２：このステップはオプションである。新しいＭＭＥは、ＯＳＳにＳ１インタフェースが確立したことを報告する。また、新しいＭＭＥは、エリア識別子の更新が成功したことを報告してもよい。
ステップ２８３：このステップはオプションである。古いＭＭＥは、ＯＳＳにＳ１インタフェースを除去したことを報告する。また、古いＭＭＥは、エリア識別子の更新が成功したことを報告してもよい。
【０１２９】
図１２は、エリア情報を更新（すなわち、エリア識別子を置換）するための、ｅＮＢ動作形態１を採用する第１のネットワークノードにおける方法のフロー図を示す。ここで、エリア情報を更新するためには、第１のネットワークノードが、その現在のＭＭＥプールから別のＭＭＥプールへ切替わる必要がある。以下では、これまでに説明していないステップについてだけ説明する。
ステップ２１０〜２１４：上の説明参照。
ステップ２２０：ＴＡ構成を実施中のｅＮＢ（または第１のネットワークノード）と新しいＭＭＥプールとの間にＳ１インタフェースが確立される。
ステップ２１７、２３０、２４０および２５０：簡潔化のために、これらのステップについての上の説明を参照されたい。
ステップ２５０および２５１：第１のネットワークノードは、それぞれアクティブＵＥおよびアイドルＵＥに関して、ユーザ装置からＴＡＵ手順のメッセージを受信しＭＭＥに転送する、また逆方向にも行う。第１のネットワークノードは、ＴＡＵ要求を転送するために使用するメッセージ（すなわち、ＭＭＥに転送するときＵＥからのＴＡＵ要求メッセージを含めるメッセージ）の中に、必要な場合、第２のエリア識別子を含めてもよい。
ステップ２６０および２６２：上記参照。
ステップ２７０：Ｓ１インタフェースが除去される、すなわちｅＮＢと新しいＭＭＥプールとの間のインタフェースが解消される。
ステップ２８０：上の説明参照。
【０１３０】
ここで図１３を参照すると、エリア識別子を置換するための方法の一実施形態が示されている。ここで、エリア識別子の更新を実施中のｅＮＢは、別のＭＭＥプールに切替わる必要がある。以下では、図１１の実施形態と図１３の実施形態の違いだけについて検討する。同じまま（または類似のまま）のステップに関しては、上の説明を参照されたい。
ステップ２６５：ｅＮＢがステップ２３５においてシステム情報の中で新しいＴＡＣのブロードキャストを開始した時に始まった遷移切替期間（またはエリア識別子置換期間）が経過した時、（エリア情報更新で影響を受ける）すべてのＵＥはＴＡＵを実行していなければならない。他のすべてのステップにつては上に説明していることに注意されたい。
【０１３１】
図１４は、エリア情報を更新（すなわち、エリア識別子を置換）するための、ｅＮＢ動作形態２を採用する第２のネットワークノードにおける方法のフロー図を示す。ここで、エリア情報を更新するためには、第１のネットワークノードが、その現在のＭＭＥプールから別のＭＭＥプールへ切替わる必要がある。以下では、これまでに説明していないステップだけについて検討する。
ステップ２６５：ｅＮＢがステップ２３５においてシステム情報の中で新しいＴＡＣのブロードキャストを開始した時に始まった遷移更新期間（またはエリア識別子置換期間）が経過した時、（エリア情報更新で影響を受ける）すべてのＵＥはＴＡＵを実行していなければならない。ｅＮＢは、実際のところ（セルの中に留まっている新しいＴＡＣが禁止されているアクティブＵＥのどれも切断してもよいことを除いて）どのステップも実行しないで、新しいエリア識別子のブロードキャストの開始以降の時間の経過を管理するだけである。
【０１３２】
以上、ＭＭＥプール切替えを含むエリア構成更新の２つの例について説明した。以下では、一般論としてＭＭＥプール切替えを含むエリア構成更新中にどんな問題を処理する必要があるかについて検討する。
・ＯＳＳは、ＴＡＣ更新（または切替え）のため、およびＭＭＥプール切替えのために、（ことによるとｅＮＢ経由で）新旧両方のＭＭＥプールの準備をする。
・ＯＳＳは、ｅＮＢが別のＭＭＥプールに切替わる必要があるＴＡＣ更新に対して、ｅＮＢを準備させるとき、ＵＥが新しいＭＭＥプール向けのＳ１インタフェースを確立するために必要な指示および情報を提供する。
・ｅＮＢは、（上述のようにパラレルＴＡＣブロードキャスト有りまたは無しの）ＴＡＣ更新の開始前に、初期配備中と同じ手順を使用して、新しいＭＭＥプール向けにＳ１インタフェースを確立する。
・遷移ＴＡＣ更新期間中、すなわち（パラレルＴＡＣブロードキャスト有りまたは無しの）エリア識別子置換期間中、ｅＮＢは、新旧両方のＭＭＥプール向けのＳ１インタフェースを維持する。遷移ＴＡＣ更新期間が終了する（例えば、古いＴＡＣの有効期間が終了する）時、ｅＮＢは、古いＭＭＥプール向けのＳ１インタフェースを解除する。
・エリア構成更新を実施中のセル内のアイドルＵＥがＴＡＵを実行すると、ｅＮＢは、そのＴＡＵを新しいＭＭＥプールに向ける。これを可能にするために、ｅＮＢは、アイドルＵＥから受信したＮＡＳ（ネットワークアクセスストラタム、Network Access Stratum）メッセージを探らなければならない。そうすることによって、ｅＮＢは、ＴＡＵ要求を確認できる。（注意すべきは、ＵＥがＴＡＵ要求を送信するとき、ＵＥは原理上アイドルではないことである。ＵＥは、メッセージを送信できるようにＲＲＣ＿ＣＯＮＮＥＣＴＥＤ状態に切替わらなければならないからである。従って、「アイドルＵＥからのＮＡＳメッセージ」は、ＲＲＣ＿ＣＯＮＮＥＣＴＥＤ状態への切替え後、すなわちランダムアクセス手順後に、ＵＥから受信した厳密に最初のＮＡＳメッセージを指す。他のＮＡＳメッセージはＭＭＥの中にＵＥコンテキストが存在するかどうかに依存することがあるので、すべてのＮＡＳメッセージを新しいＭＭＥプールに向けるのは上手く行かないだろう。しかし、ＮＡＳメッセージを探るのを避ける見込のある代替形態は、ｅＮＢが、ＮＡＳメッセージをそのタイプにかかわらずバッファし、在圏ＭＭＥへのＳ１接続を確立し、次いで新しいＭＭＥへのＭＭＥ再配置を行ってから、バッファしたＮＡＳメッセージを新しいＭＭＥに転送するものである。この手順は、恐らく何らかの新しいかまたは変更したメカニズムを必要とするだろう。
・新しいＭＭＥプールの中のＭＭＥは、それらＭＭＥの新しいセルに対して（上述の）修正呼び出し方法を使用する必要はない。ＭＭＥが新しいセル内でサービスを提供するＵＥは、既にＴＡＵを実行しているからである。
・アクティブＵＥは、新しいＭＭＥプールおよび新しいＳ−ＧＷプールに再配置されなければならず、これにはパス切替えがかかわる。それ故、ｅＮＢは、セル内のアクティブＵＥのそれぞれに対してＭＭＥプール向けのＳ１  ＨＯ（ハンドオーバ）手順を実行する。この状況では、ＭＭＥは、ソースｅＮＢとターゲットｅＮＢが同じであることを受け入れられなければならない（ソースｅＮＢからのＨＡＮＤＯＶＥＲ  ＲＥＱＵＩＲＥＤメッセージの中で、（ｅＮＢのＩＤに関して）ソースＩＤ情報要素とターゲットＩＤ情報要素とがこの場合同じであることで、ＭＭＥに知らせる）。ＭＭＥは、ソースｅＮＢとターゲットｅＮＢが同じＩＤを有することを常に受け入れるように設計されてもよい。そうでなければ、影響を受けるすべてのＭＭＥが、ｅＮＢによるＭＭＥプールの切替えに気付いて、この遷移状況に対して準備済みであるように、ＯＳＳは、影響を受けるＭＭＥプールに確実に準備させるべきである。原理上、ＵＥは、このＨＯ手順にかかわる必要はないが、簡潔化のために、ｅＮＢがＵＥも関与させ、完全な「Ｓ１セル内ＨＯ」手順にする方がよいだろう。いずれにせよ、新しいＭＭＥは、新しい一時的なＩＤ（ＧＵＴＩ（Globally Unique Temporary Identity）：ＮＡＳシグナリングによってＵＥに転送される）を割り当てる。上の検討から好ましいように、新しいＭＭＥプールにおいては既存のＴＡＣの再使用を避けると想定すると、セル内のすべてのアクティブＵＥは、ＴＡＣ変更中にＴＡＵを実行する必要がある。通常の手順によれば、アクティブＵＥは、ＴＡリストに含まれていないＴＡ内のセルへのハンドオーバの完了直後に、ＴＡＵを通常実行する。この原理は、ＴＡＣ更新の状況の中でも利用されてもよい。
【０１３３】
以下に、アクティブＵＥを扱う２つの例（１および２と呼ぶ）を続ける。
１．ｅＮＢが、影響を受ける各ＵＥに対してセル内ＨＯを開始する。（ＭＭＥプール間のＴＡＣ移動の禁止が順守されているのを条件として）ＭＭＥプール切替えの場合はすべてのアクティブＵＥが影響を受けるので、これまで説明した影響を受けるＵＥを特定するやり方は、ＭＭＥプール切替えの場合は必要ない。セル内ＨＯ後、ＵＥは、新しいＴＡＣだけを考慮すべきであり、それ故ＴＡＵを実行する。アクティブＵＥを扱うこのやり方を使用する場合、好ましくは、アクティブＵＥは、セル内ＨＯでトリガされるまでＴＡＵを行うべきでない（即時型ＴＡＵも遅延型ＴＡＵも行うべきでない）。注意すべきは、これが求めていることは、セル内ＨＯがアクティブＵＥに対するＴＡＵのトリガとして使用されるのに加えて、ＭＭＥプール切替え無しのＴＡＣ更新のトリガとしても使用されることである。ＵＥは、ＭＭＥプール切替え有りのＴＡＣ更新とＭＭＥプール切替え無しのＴＡＣ更新とを区別することができないからである。あるいは、前に説明したように、あらゆるアクティブＵＥが、依然として遅延型ＴＡＵをスケジュールする。アクティブＵＥが遅延型ＴＡＵをスケジュールし、このスケジュールしたＴＡＵが、ＵＥが新しいＡＧＷに再配置される前に行われる場合、この状況の扱い方に関して３つの代替手法がある。
・ＴＡＵ要求が、確立されているＳ１接続によって在圏（古い）ＭＭＥに向けられる。続いてセル内ＨＯが行われても、これは、２回目のＴＡＵを行うようにＵＥをトリガする必要はないはずである。その理由は、ＵＥの視点からは、（ＵＥは既に新しいＴＡＣを使用しているので）ＴＡはハンドオーバ中に変更されず、新しいＭＭＥは古いＭＭＥからＵＥコンテキストを既に受信しているからである。セル内ハンドオーバ後に万一ＵＥがとにかくＴＡＵを実行した場合、これは、新しい在圏ＭＭＥに向けられるであろう。
・ｅＮＢは、ＵＥが新しいＭＭＥ（およびＳ−ＧＷ）に再配置されるまで、ＭＭＥにＴＡＵ要求を転送しない。すなわち、ｅＮＢは、まだ再配置されていないアクティブＵＥからＴＡＵ要求を受信すると、ＴＡＵ要求をバッファし、直ぐにセル内ＨＯをトリガして再配置を開始する。再配置が終了すると、ｅＮＢは、ＴＡＵ要求を新しいＭＭＥに転送する。新しいＭＭＥはＵＥに新しいＴＡＣを含む新しいＴＡリスト提供するので、セル内ＨＯ後に２回目のＴＡＵはない。ＴＡＵ要求を認識するためにｅＮＢがＮＡＳメッセージを探るのを許可されるのでなければ、ｅＮＢは、再配置の前にＵＥから到着するすべてのＮＡＳメッセージに関してこの動作（すなわち、再配置の完了までバッファする）を行わなければならない（通常ｅＮＢは、異なるＮＡＳメッセージ間の違いが分からないからである）。これは、上記の代替形態より複雑である。
・ｅＮＢは、新しいＭＭＥプールの中のＭＭＥにＳ１接続を確立し、そのＭＭＥにＴＡＵ要求を向ける。この意味することは、ｅＮＢが、古いＭＭＥプールの中の在圏ＭＭＥへの接続と新しいＭＭＥプールの中の選択したＭＭＥへの接続との、（当該ＵＥに対する）同時に２つのＳ１接続を維持するということである。ＵＥが新しいＭＭＥ（およびＳ−ＧＷ）に再配置されると、新しいＭＭＥは、渡されたＵＥコンテキストを既に存在するＵＥコンテキストと照合できる必要がある。これは、ＴＡ構成更新を促進するためだけに、面倒な事態が持ち込まれて望ましくないように見える。
２．ｅＮＢは、アクティブＵＥのセル内ＨＯをトリガしないが、すべてのアクティブＵＥに対して１つずつＭＭＥおよびＳ−ＧＷの（ネットワーク部分の）再配置手順をやはり行う。ＴＡＵに関しては、影響を受けるあらゆるＵＥが、ＴＡＵをスケジュールしてランダムな遅延の後に実行する前述のメカニズムに依存する。ＵＥが新しいＭＭＥ（およびＳ−ＧＷ）に再配置される前にＴＡＵが行われたとしても、問題はないはずである。ＭＭＥ（およびＳ−ＧＷ）の再配置が続いて行われると、新しいＭＭＥは、古いＭＭＥからＵＥコンテキストを受信し、自装置が当該ＵＥに対する新しい在圏ＭＭＥであると、ホーム加入者サーバ（ＨＳＳ）に通知し得る。新しいＭＭＥが依然として（何らかの理由で）ＵＥによるＴＡＵを万一期待している場合、この状況を扱う上述の３つの代替手法の後の２つの手法を使用できよう（ＭＭＥおよびＳ−ＧＷの再配置がＵＥのセル内ＨＯのトリガを伴わない点を除く）。
【０１３４】
以下は、ＭＭＥプールが重なり合う場合の更新手順に関して、どんな事項を考慮に入れる必要があるかについての説明である。あるｅＮｏｄｅＢが１つを超えるＭＭＥプールに属するとき、それらのＭＭＥプールは、サービスエリアが重なり合い、オーバーラッピングＭＭＥプール(overlapping MME pool)と呼ばれる。ｅＮＢがＭＭＥプールを切替えない上述の場合について、これ以降、非ＭＭＥプール切替事例(non-MME pool switch case)と呼ぶ。同様に上述のｅＮＢがあるシングルＭＭＥプールから別のシングルＭＭＥプールへ切替わる場合について、これ以降、基本ＭＭＥプール切替事例と呼ぶ。
【０１３５】
ｅＮＢが元のＭＭＥプールを維持しながら、シングルプールからマルチプールへ切替わる事例について、これ以降、第１のマルチプール切替事例と呼ぶ。
【０１３６】
以下に検討する違いは別として、第１のマルチプール切替事例は、非ＭＭＥプール切替事例に似ている。新しいＭＭＥプールのそれぞれへのＳ１インタフェースは、確立されなければならないが、すべてのオーバーラッピングＭＭＥプールは、重なり合う地域のすべてのＴＡをサポートするので、アクティブＵＥの再配置は必要ない。ｅＮＢは、例えば負荷分散の理由またはＭＭＥプール選択の原則などから、いくつかのＵＥを再配置することをやはり選択してもよい。アイドルＵＥによるＴＡＵは、通常のＭＭＥプール選択原則に基づき、オーバーラッピングＭＭＥプールのいずれかに向けられる。
【０１３７】
ｅＮＢが元のＭＭＥプールを維持しないで、シングルプールからマルチプールに切替わるさらなる事例について、これ以降、第２のマルチプール切替事例と呼ぶ。
【０１３８】
この事例は、基本ＭＭＥプール切替事例に似ている。しかし、第１の違いは、複数のＭＭＥプールへの新しいＳ１インタフェースが確立され（そして古いＳ１インタフェースと一時的に同時に維持され）なければならないことであり、第２の違いは、ｅＮＢが、ＵＥを再配置するかまたはＴＡＵ要求を転送するとき、異なるＵＥに対して異なるＭＭＥプールおよびＳ−ＧＷプールを選択してもよいことである。
【０１３９】
ｅＮＢが、元の複数のＭＭＥプール中の１つのＭＭＥプールを維持しながら、マルチプールからシングルプールへ切替わるまた別の事例は、これ以降、第１のシングルプール切替事例と呼ぶ。
【０１４０】
この事例は、ある意味において非ＭＭＥプール切替事例と基本ＭＭＥプール切替事例との中間の事例と説明してもよい。それにもかかわらず、新しいＳ１インタフェースを確立する必要はないが、もはやｅＮＢに関係しない複数のＭＭＥプールの中のそれぞれのＭＭＥプールへのＳ１インタフェースが取り除かれることに注意してもよい。この事例では（ＭＭＥプール間のＴＡＣ移動の禁止が順守されるときでさえ）ＵＥのＴＡリストは新旧両方のＴＡＣをたぶん含むだろうから、すべてのＵＥが（アクティブに加えてアイドルも）ＴＡＵを実行する必要があるわけではない。さらに、ｅＮＢは、すべてのアクティブＵＥを再配置する必要はない。代わりに、ｅＮＢに依然としてサービスを提供しているＭＭＥプール以外のＭＭＥプールからサービスを提供されているＵＥだけが、再配置される必要がある。
【０１４１】
ｅＮＢが、複数のオーバーラッピングプールの中の１つのオーバーラッピングプールも維持しないで、マルチプールからシングルプールへ切替わるまた別の事例は、これ以降、第２のシングルプール切替事例と呼ぶ。
【０１４２】
この事例は、基本ＭＭＥプール切替事例に似ている。しかし、違いは、パラレルＴＡＣ動作の終了時に、複数の（古い）Ｓ１インタフェースが取り除かれる必要があることである。
【０１４３】
ｅＮＢが、元の複数のＭＭＥプールの中の少なくとも１つのＭＭＥプールを維持しながら、マルチプールからマルチプールへ切替わるまた別の事例は、これ以降、第１のマルチ・マルチプール切替事例と呼ぶ。
【０１４４】
第１のマルチ・マルチプール切替事例も、非ＭＭＥプール切替事例と基本ＭＭＥプール切替事例との間のどこかにある。本事例では、ｅＮＢは、新しいＭＭＥプールのどれにもＳ１インタフェースを確立し、維持されないＭＭＥプールのどれからもＳ１インタフェースを取り除く。アイドルＵＥからのＴＡＵ要求は、新しいＭＭＥプールかまたは維持されているＭＭＥプールに向けられる。維持されないＭＭＥプールからサービスを提供されているアクティブＵＥは、新しいＭＭＥプールかまたは維持されているＭＭＥプールに再配置される。
【０１４５】
オーバーラッピングＭＭＥプールの最後の事例として、ｅＮＢが元のＭＭＥプールのどれも維持しないで、マルチプールからマルチプールへ切替わる事例は、これ以降、第２のマルチ・マルチプール切替事例と呼ぶ。
【０１４６】
この事例も、基本ＭＭＥプール切替事例に似ている。しかし、第１の違いは、複数のＭＭＥプールに確立されるＳ１インタフェースと複数のＭＭＥプールから取り除かれるＳ１インタフェースとの両方があることであり、第２の違いは、ｅＮＢがＴＡＵ要求を向けるときおよびＵＥを再配置するとき、選択できる複数のＭＭＥプールを有することである。
【０１４７】
上記のオーバーラッピングＭＭＥプールの事例を参照すると、ｅＮＢがオーバーラッピングＭＭＥプールの１つのセットＳｅｔ1（１〜ＮのＭＭＥプールから成る）からオーバーラッピングＭＭＥプールの別のセットＳｅｔ２（１〜ＭのＭＭＥプールから成る）へ切替わるとき、以下の一般的条件が適用される（群論の中のシンボル：∈は「属する」を意味し、▲∈|▼は「属さない」を意味し、＼は以下の例で説明されてもよい：Ａ＼Ｂは、グループＡの中のグループＢに属さないすべての要素）。
・ｅＮＢは以下のあらゆるＭＭＥプール（の中の各ＭＭＥ）にＳ１インタフェースを確立すべきである。
ＭＭＥプール∈Ｓｅｔ２  かつ  ▲∈|▼Ｓｅｔ１、すなわち集合Ｓｅｔ３＝Ｓｅｔ２＼Ｓｅｔ１の中のあらゆるＭＭＥプール。
・ｅＮＢは以下のあらゆるＭＭＥプール（の中の各ＭＭＥ）へのＳ１インタフェースを削除すべきである。
ＭＭＥプール∈Ｓｅｔ１  かつ  ▲∈|▼Ｓｅｔ２、すなわち集合Ｓｅｔ４＝Ｓｅｔ１＼Ｓｅｔ２の中のあらゆるＭＭＥプール。
・ｅＮＢは、アイドルＵＥからのＴＡＵ要求のすべてを、Ｓｅｔ２の中から選択されたＭＭＥプールの中から選択されたＭＭＥへ（すなわち、ＵＥの古い在圏ＭＭＥプールが、Ｓｅｔ２に属するか、それともＳｅｔ１に属するか、それともどちらにも属さないかに無関係に）向けるべきである。
・ｅＮＢは、Ｓｅｔ２のＭＭＥプールに属さない在圏ＭＭＥを有するあらゆるアクティブＵＥを再配置すべきである。ターゲットＭＭＥは、Ｓｅｔ２の中から選択されたＭＭＥプールの中から選択されるべきである。
【０１４８】
上記を参照して、同期および非同期のＴＡ構成更新の利点について検討する。
【０１４９】
同期ＴＡ構成更新中は、異なるセルのＴＡＣ更新が（ＯＳＳによって制御され）相互に同期されるのに対して、非同期ＴＡ構成更新中は、各セルのＴＡＣ更新は時間的には他のセルの更新とは無関係である。
【０１５０】
同期した方法の利点は、遷移ＴＡＣ更新期間中のＭＭＥの動作および呼び出し方法が非同期の方法より単純なことである。他方では、同期した方法はより多くのＵＥが影響を受けることを意味する。これは、階層的に上位のノード例えばＭＭＥ、Ｓ−ＧＷおよびホーム加入者サーバ（ＨＳＳ）の負荷がより大きいことを意味する。これが意味することは、負荷のピークを均すために、遷移ＴＡＣ更新期間を非同期構成より長くすべきであるということである。その結果として、ＭＭＥは、より長時間、修正動作および修正呼び出し方法を維持する必要があろう。
【０１５１】
ＴＡ構成の最適化はネットワーク全体にわたる最適のＴＡ構成を恒常的に検討し直すことによって行われるという想定に基づくと、同期した方法を使用することが当然のように多分思えるであろう。新しい最適のＴＡ構成を検討したら、ＯＳＳに、影響を受けるすべてのセルにおけるＴＡＣ更新を同時にスケジュールさせることによって、その新しい最適のＴＡ構成をネットワーク全体に同時に導入したほうがよさそうである。
【０１５２】
例えば新しいｅＮＢおよびＭＭＥおよびＳ−ＧＷまたはそのいずれかの追加に起因するより局所的な性質の変更などの他のタイプのＴＡ構成変更は、全体的な同期最適化と全体的な同期最適化との間に行われてもよい。従って、このようなＴＡ構成変更は、全体のＴＡ構成とは時間的に分離して行われるように制約される。
【０１５３】
同期ＴＡ構成更新が使用される場合、ＯＳＳは、ネットワーク内で一度に１つのＴＡ構成更新だけが進行中でもよいことを保証する。この管理はまた、同じノードに対して矛盾するＴＡＣ更新命令が出されるのを確実に回避する。
【０１５４】
以上の検討を考慮すると、遷移ＴＡＣ更新期間がより長いにもかかわらず、同期ＴＡ構成更新の方が多分好ましいであろう。
【０１５５】
本発明について本発明を例示する特定の実施形態を参照して説明してきたが、当業者には、多くの様々な変更、修正などが明らかになるであろう。それ故、説明した実施形態は、添付の特許請求の範囲によって規定される本発明の範囲を限定する意図はない。
【図１】
0005296216.tif 000002
【図２】
0005296216.tif 000003
【図３】
0005296216.tif 000004
【図４】
0005296216.tif 000005
【図５】
0005296216.tif 000006
【図６】
0005296216.tif 000007
【図７】
0005296216.tif 000008
【図８】
0005296216.tif 000009
【図９】
0005296216.tif 000010
【図１０】
0005296216.tif 000011
【図１１】
0005296216.tif 000012
【図１２】
0005296216.tif 000013
【図１３】
0005296216.tif 000014
【図１４】
0005296216.tif 000015